(57)【要約】  ネットワークデバイス（例えば、進化型ノードＢ（ｅＮＢ）又はユーザ機器（ＵＥ））は、測定ギャップパターンを処理又は生成して、測定ギャップの間に、コンポーネントキャリア（ＣＣ）単位でキャリア又は帯域のネットワーク測定を可能にすることができる。ネットワーク及び測定ギャップパターンに通信可能に結合された測定オブジェクト（例えば、キャリア又は帯域）の送信又は受信は、１つ又は複数の無線リソース制御（ＲＲＣ）信号を介して伝達されてよく、ＵＥ機能、ＵＥ機能の測定ギャップ構成に対する関連、測定ギャップ周期／ギャップオフセットのタイプ、異なる測定ギャップパターン、測定ギャップの欠如、又はＣＣに関連した他の基準など、各ＣＣに関連した１つ又は複数の基準をそれぞれ識別するサポートＣＣデータセットに従って再構成されてよい。サポートＣＣデータセットに応答して、測定ギャップパターンは、ＣＣごとに動的に再構成され得る。
2018511200.tif 000002
【特許請求の範囲】
【請求項１】
進化型ＮｏｄｅＢ（ｅＮＢ）の装置であって、
キャリアアグリゲーションのために、１つ又は複数の異なるコンポーネントキャリア（ＣＣ）に基づいて、測定ギャップの測定を容易にする測定ギャップパターンを識別する処理コンポーネントと、
前記処理コンポーネントに通信可能に結合されており、１つ又は複数の無線リソース制御（ＲＲＣ）信号を介して、前記測定ギャップパターンを伝達する、通信コンポーネントと
を備える
装置。
【請求項２】
前記処理コンポーネントはさらに、前記１つ又は複数の異なるＣＣに関連付けられたユーザ機器（ＵＥ）機能を識別し、前記１つ又は複数の異なるＣＣの前記ＵＥ機能との関連に基づいて、前記測定ギャップパターンを生成する、
請求項１に記載の装置。
【請求項３】
前記処理コンポーネントはさらに、ギャップ繰り返し周期を選択するための情報を含むギャップオフセット、又は、第２のセットのＣＣに関連付けられた別のギャップ繰り返し周期と異なる前記ギャップ繰り返し周期を利用して測定されるべき第１のセットのＣＣを示すサポートＣＣデータセットのうちの少なくとも１つを識別する、
請求項１又は２に記載の装置。
【請求項４】
前記通信コンポーネントはさらに、前記１つ又は複数のＣＣに関連付けられたＵＥ機能を含むサポートＣＣデータセットを受信し、前記測定ギャップパターンの再構成を伝達し、前記処理コンポーネントは、前記サポートＣＣデータセットに基づいて、異なる測定ギャップパターンとして、前記測定ギャップパターンの前記再構成をもたらす、
請求項１から３のいずれか一項に記載の装置。
【請求項５】
サポートＣＣデータセットは、ＵＥ機能によってサポートされる複数の異なるＣＣと、前記複数の異なるＣＣの異なるＣＣに関連付けられており、前記測定ギャップパターンの測定ギャップ、又は前記測定ギャップを用いないデータの連続ダウンリンクのうちの少なくとも１つの要求を示す、インジケーションとを含む、
請求項１から４のいずれか一項に記載の装置。
【請求項６】
サポートＣＣデータセットは、ＵＥ機能によってサポートされる複数の異なるＣＣと、前記複数の異なるＣＣに関連付けられており、異なるギャップ繰り返し周期の間の選択、又は測定ギャップを用いないデータの連続ダウンリンクのうちの少なくとも１つの要求を示す、インジケーションとを含む、
請求項１から５のいずれか一項に記載の装置。
【請求項７】
サポートＣＣデータセットは、ＵＥ機能によってサポートされる複数の異なるＣＣと、前記複数の異なるＣＣに関連付けられており、前記複数の異なるＣＣの異なるセットのＣＣに関連付けられた異なる測定ギャップパターン、又は測定ギャップを用いないデータの連続ダウンリンクのうちの少なくとも１つの要求を示す、インジケーションとを含む、
請求項１から６のいずれか一項に記載の装置。
【請求項８】
サポートＣＣデータセットは、ＵＥ機能によってサポートされる前記複数の異なるＣＣグループの要素として１つ又は複数の異なるＣＣと、前記複数の異なるＣＣグループに関連付けられており、前記複数の異なるＣＣグループの異なるセットのＣＣグループに関連付けられた異なる測定ギャップパターン、又は測定ギャップを用いないデータの連続ダウンリンクの要求を示す、インジケーションとを含む複数の異なるＣＣグループを含む、
請求項１から７のいずれか一項に記載の装置。
【請求項９】
前記処理コンポーネントはさらに、ギャップオフセット、ギャップ繰り返し周期、ミニギャップインジケータを識別し、１つ又は複数のＵＥ機能に基づいてＵＥサービングバンドを指定する少なくとも１つのサービングバンドを識別し、ＵＥ機能は、ＵＥの１つ又は複数の無線周波数（ＲＦ）チェーンによって扱われる複数のコンポーネントキャリアのうちの少なくとも１つを含む、
請求項１から８のいずれか一項に記載の装置。
【請求項１０】
ユーザ機器（ＵＥ）用の装置であって、
１つ又は複数のコンポーネントキャリア（ＣＣ）に対応する１つ又は複数の通信チェーンを含んでおり、受信経路又は送信経路への１つ又は複数の無線リソース制御（ＲＲＣ）信号を処理する、通信コンポーネントと、
前記通信コンポーネントに通信可能に結合されており、前記１つ又は複数の無線リソース制御（ＲＲＣ）信号を処理して、前記１つ又は複数のコンポーネントキャリア（ＣＣ）及び前記１つ又は複数の通信チェーンを含むＵＥ機能のセットに基づいて、測定ギャップの間に測定を制御する測定ギャップパターンの測定ギャップ構成を決定する、プロセッサコンポーネントと
を備える
装置。
【請求項１１】
前記プロセッサコンポーネントはさらに、ＵＥ機能の前記セットに基づいて、複数の測定ギャップパターンの異なる測定ギャップパターンの選択をもたらし、前記通信コンポーネントはさらに、前記受信経路又は前記送信経路に対する前記選択をもたらすことで、前記１つ又は複数のＲＲＣ信号に応答し、前記選択に基づいて、前記測定ギャップパターンを再構成するために１つ又は複数のデータを有するダウンリンク送信を受信する、
請求項１０に記載の装置。
【請求項１２】
前記プロセッサコンポーネントはさらに、異なる通信チェーン及び前記１つ又は複数のＣＣに関連付けられたギャップ繰り返し周期のギャップオフセットのインジケーションを生成する、
請求項１０又は１１に記載の装置。
【請求項１３】
前記１つ又は複数のＲＲＣ信号に応答して、前記通信コンポーネントはさらに、インジケーションを前記受信経路又は前記送信経路に伝達し、前記インジケーションの伝達に応答して、前記測定ギャップパターンの再構成を可能にするダウンリンク送信を受信する、
請求項１０から１２のいずれか一項に記載の装置。
【請求項１４】
前記プロセッサコンポーネントはさらに、前記通信コンポーネントの異なる通信チェーンに従って、それぞれ、異なるＣＣに関連付けられた前記ＵＥ機能と、測定ギャップが要求されているかを示す、前記異なるＣＣに関連付けられたインジケーションとを含むサポートＣＣデータセットを生成する、
請求項１０から１３のいずれか一項に記載の装置。
【請求項１５】
前記プロセッサコンポーネントはさらに、異なるＣＣに関連付けられた前記ＵＥ機能と、前記異なるＣＣに関連付けられており、前記通信コンポーネントの通信チェーンに関連したＣＣの組み合わせを示すインジケーションと、前記ＣＣの組み合わせに関して、ミニギャップ、ロングギャップ、又はギャップなしのうちの少なくとも１つの選択とを含むサポートＣＣデータセットを生成する、
請求項１０から１４のいずれか一項に記載の装置。
【請求項１６】
前記プロセッサコンポーネントはさらに、前記ＵＥ機能と、前記ＵＥ機能に基づく測定ギャップ構成の異なる測定ギャップパターンの選択との両方に対応する異なるＣＣの組み合わせを含むサポートＣＣデータセットを生成する、
請求項１０から１５のいずれか一項に記載の装置。
【請求項１７】
前記プロセッサコンポーネントはさらに、異なるＣＣ及び対応する異なる測定ギャップパターンを含む異なるＣＣグループを有するサポートＣＣデータセットを生成する、
請求項１０から１６のいずれか一項に記載の装置。
【請求項１８】
前記通信コンポーネントはさらに、前記１つ又は複数の通信チェーンのうちのどれが、測定ギャップを用いずに、連続したデータダウンリンクを受信するかを、進化型ＮｏｄｅＢに伝達する、
請求項１０から１７のいずれか一項に記載の装置。
【請求項１９】
実行に応答して、進化型ＮｏｄｅＢ又はユーザ機器を含むネットワークデバイスの１つ又は複数のプロセッサに動作を実行させる実行可能命令を備え、前記動作は、
前記ネットワークデバイスの前記１つ又は複数のプロセッサを介して、異なるコンポーネントキャリア（ＣＣ）に基づいて、異なるＵＥ機能を有する１つ又は複数の異なる通信チェーンに対応する測定ギャップパターンのインジケーションを生成する動作と、
前記ネットワークデバイスの通信コンポーネントを介して、前記測定ギャップパターンの前記インジケーションを伝達する動作と
を含む、
コンピュータ可読媒体。
【請求項２０】
前記動作はさらに、
前記異なるＣＣに対応する異なるギャップ繰り返し周期を選択するための情報を含むギャップオフセットと、前記１つ又は複数の異なる通信チェーンのうちの第１の通信チェーンによって測定されるべき第１のセットのＣＣ、及び前記１つ又は複数の異なる通信チェーンのうちの第２の通信チェーンによって測定されるべき第２のセットのＣＣを含むサポートＣＣデータセットと、ミニギャップ又は前記ミニギャップより大きいフルギャップが、前記第１の通信チェーン及び前記第２の通信チェーンによってダウンリンク送信に利用されるべきかに関するインジケーションとのうちの少なくとも１つを識別する動作を含む、
請求項１９に記載のコンピュータ可読媒体。
【請求項２１】
前記動作はさらに、
サポートＣＣデータセットに基づいて、前記測定ギャップパターンの再構成の応答を処理又は生成する動作を備え、前記サポートＣＣデータセットは、前記ＵＥ機能に基づいて、前記異なるＣＣと前記１つ又は複数の異なる通信チェーンとの第１の相関、及び異なる測定ギャップパターンと前記異なるＣＣとの第２の相関を含む、
請求項１９又は２０に記載のコンピュータ可読媒体。
【請求項２２】
前記動作はさらに、
１つ又は複数の無線リソース制御（ＲＲＣ）信号を介した前記測定ギャップパターンの送信に応答して、前記ＵＥ機能と、ＵＥからの通信内のサポートＣＣデータセットとに基づいて、前記測定ギャップパターンの変更を容易にする動作を含む、
請求項１９から２１のいずれか一項に記載のコンピュータ可読媒体。
【請求項２３】
サポートＣＣデータセットは、異なるセットのＣＣを含むＣＣグループと、測定ギャップパターンのどれが前記ＣＣグループのどのＣＣに対応するかを含む、
請求項１９から２２のいずれか一項に記載のコンピュータ可読媒体。
【請求項２４】
サポートＣＣデータセットはさらに、前記１つ又は複数の異なる通信チェーンに従って、ギャップが要求されているかに関する第１のセットのインジケーションと、ギャップ繰り返し周期の情報を含むギャップオフセットに関する第２のセットのインジケーションとを含む、
請求項１９から２３のいずれか一項に記載のコンピュータ可読媒体。
【発明の詳細な説明】
【技術分野】
【０００１】
［関連出願の参照］
本出願は、２０１５年４月９日に出願された「セルスペックＭＧ（ＣＥＬＬ  ＳＰＥＣ  ＭＧ）」と題する米国仮出願第６２／１４５，３１８号の利益を主張し、その内容はその全体を参照することにより本明細書に組み込まれる。本出願はさらに、２０１６年２月１２日に出願された「ＣＣ単位ベースの拡張した測定ギャップ構成用のシグナリング（ＳＩＧＮＡＬＬＩＮＧ  ＦＯＲ  ＰＥＲ−ＣＣ  ＢＡＳＥＤ  ＥＮＨＡＮＣＥＤ  ＭＥＡＳＵＲＥＭＥＮＴ  ＧＡＰ  ＣＯＮＦＩＧＵＲＡＴＩＯＮ）」と題する米国仮出願第６２／２９４，８６７号の利益を主張し、その内容はその全体を参照することにより本明細書に組み込まれる。
【０００２】
本開示は測定ギャップに関し、より詳細には、キャリアコンポーネント単位による特定のセルグループの測定ギャップパターンに関する。
【背景技術】
【０００３】
無線移動通信技術は、様々な規格及びプロトコルを用いて、ノード（例えば、送信局）と無線デバイス（例えば、モバイルデバイス）又はユーザ機器（ＵＥ）との間でデータを送信する。いくつかの無線デバイスは、直交周波数分割多元接続（ＯＦＤＭＡ）をダウンリンク（ＤＬ）送信に用い、シングルキャリア周波数分割多元接続（ＳＣ−ＦＤＭＡ）をアップリンク（ＵＬ）送信に用いて通信する。信号送信に直交周波数分割多重方式（ＯＦＤＭ）を用いる規格及びプロトコルには、第３世代パートナーシッププロジェクト（３ＧＰＰ）のロングタームエボリューション（ＬＴＥ）、ＷｉＭＡＸ（登録商標）（ワールドワイド・インターオペラビリティ・フォー・マイクロウェーブ・アクセス）として業界団体に一般に知られている米国電気電子技術者協会（ＩＥＥＥ）の８０２．１６規格（例えば、８０２．１６ｅ、８０２．１６ｍ）、及びＷｉＦｉとして業界団体に一般に知られているＩＥＥＥ８０２．１１規格が含まれる。
【０００４】
３ＧＰＰ無線アクセスネットワーク（ＲＡＮ）ＬＴＥシステムにおいて、ノードは、進化型ユニバーサル地上波無線アクセスネットワーク（Ｅ−ＵＴＲＡＮ）ノードＢ（一般に、進化型ノードＢ、発展型ノードＢ、ｅＮｏｄｅＢ、又はｅＮＢとしても示される）と、ＵＥと通信する無線ネットワークコントローラ（ＲＮＣ）とを組み合わせることができる。ダウンリンク（ＤＬ）送信は、アクセスポイント／ノード又は基地局（例えば、マクロセルデバイス、ｅＮｏｄｅＢ、ｅＮＢ、又は他の類似のネットワークデバイス）からＵＥへの通信になり得、アップリンク（ＵＬ）送信は、無線デバイスからノードへの通信になり得る。ＬＴＥにおいて、データは、物理ダウンリンク共有チャネル（ＰＤＳＣＨ）を介して、ｅＮｏｄｅＢからＵＥへ送信され得る。物理アップリンク制御チャネル（ＰＵＣＣＨ）は、データが受信されたことを通知するのに用いられ得る。ダウンリンクチャネル及びアップリンクチャネルは、時分割複信方式（ＴＤＤ）又は周波数分割複信方式（ＦＤＤ）を用いることができる。
【０００５】
今後のネットワーク展開は、無線通信の需要の高まりや無線通信において進化する新たな技術の結果として、周波数の数が増加していくことを保証する。セルの数及び周波数需要が増加するのは、ほぼ確実である。マクロセルネットワークデバイス、スモールセルネットワークデバイス、あるいは、マクロセルデバイスより小さいカバレッジゾーン又はより低い電力機能を有するようなその他のネットワークデバイス（例えば、スモールｅＮＢ、マイクロｅＮＢ、ピコｅＮＢ、フェムトｅＮＢ、ホームｅＮＢ（ＨｅＮＢ））も、３ＧＰＰリリース１２で規定されるデュアルコネクティビティ機能を搭載して導入され得る。ユーザ機器（ＵＥ）（例えば、ネットワークデバイス、モバイルデバイス、無線デバイスなど）は、こうして、２つ以上のセルを同時に接続することができてよい。
【０００６】
高い体験品質（ＱｏＥ）を備えた円滑なネットワーク移行（例えば、セルハンドオーバ、リダイレクション、リセレクションなど）を容易にするために、ＵＥは、周辺のセルを測定し、関連データをネットワークに提供する機能を有していなければならない。ネットワークが展開している状況では、多くの周波数が存在してよく、周波数キャリアのいくつかは、密集したネットワーク展開において連続して展開されているマイクロセルであってよい。しかし、ＵＥは、例えば、マクロセル内の負荷増大の結果として、これらのセルを切り換えることができないことがある。ネットワーク展開密度の増大の結果として、ＵＥは、ＵＥの位置に応じて、これらのスモールセルにアクセスできないことがある。ＵＥが、スモールセルの周波数キャリアを測定する機会を逸した場合、ＵＥは、利用可能なバックアップネットワークを有していないことがある。さらに、ＵＥがマクロ層に対する測定を逃した場合、ＵＥは十分な速さでハンドオーバできないことがあり、通話が切れる可能性がある。
【図面の簡単な説明】
【０００７】
【図１】様々な態様によるＵＥ又はｅＮＢのための、例示の無線通信ネットワーク環境を示すブロック図を示す。
【０００８】
【図２】開示されている様々な態様又は実施形態に従い、複数の測定オブジェクトを示すデータスロットの例を示す。
【０００９】
【図３】開示されている様々な態様又は実施形態に従い、例示の測定ギャップパターンを示す。
【００１０】
【図４】開示されている様々な態様又は実施形態に従い、異なる無線周波数処理チェーン及びそれぞれの帯域カバレッジを有する例示のＵＥデバイスを示す。
【００１１】
【図５】開示されている様々な態様又は実施形態に従い、別の例示の測定ギャップパターンを示す。
【００１２】
【図６】開示されている様々な態様又は実施形態に従い、リリース１３以降の測定ギャップ構成の情報要素に関する例示の変更を示す。
【００１３】
【図７】開示されている様々な態様又は実施形態に従い、リリース１３以降の測定ギャップ構成の情報要素の例を示す。
【００１４】
【図８】開示されている様々な態様又は実施形態に従い、別の例示の測定ギャップパターンを示す。
【００１５】
【図９】開示されている様々な態様又は実施形態に従い、ミニギャップパターンとして別の例示の測定ギャップパターンを示す。
【００１６】
【図１０】開示されている様々な態様又は実施形態に従い、リリース１３以降の測定ギャップ構成の情報要素に関する例示の変更を示す。
【００１７】
【図１１】開示されている様々な態様又は実施形態に従い、リリース１３以降の測定ギャップ構成の情報要素の例を示す。
【００１８】
【図１２】開示されている様々な態様又は実施形態に従い、ネットワーク用の測定ギャップパターンのプロセスフローを示す。
【００１９】
【図１３】開示されている様々な態様又は実施形態に従い、ネットワーク用の測定ギャップパターンの別のプロセスフローを示す。
【００２０】
【図１４】開示されている様々な態様又は実施形態に従い、ネットワーク用の別の測定ギャップパターンの別のプロセスフローを示す。
【００２１】
【図１５】開示されている様々な態様又は実施形態に従い、ネットワークにミニギャップを用いた別の測定ギャップパターンの別のプロセスフローを示す。
【００２２】
【図１６】開示されている様々な態様又は実施形態に従い、ネットワーク用の測定ギャップパターン又は構成を構成する又は再構成するための別のプロセスフローを示す。
【００２３】
【図１７】開示されている様々な態様又は実施形態に従い、１つ又は複数の測定ギャップ構成を示すための例示のＣＣデータセット又はサポート帯域リストを示す。
【図１８】開示されている様々な態様又は実施形態に従い、１つ又は複数の測定ギャップ構成を示すための例示のＣＣデータセット又はサポート帯域リストを示す。
【図１９】開示されている様々な態様又は実施形態に従い、１つ又は複数の測定ギャップ構成を示すための例示のＣＣデータセット又はサポート帯域リストを示す。
【図２０】開示されている様々な態様又は実施形態に従い、１つ又は複数の測定ギャップ構成を示すための例示のＣＣデータセット又はサポート帯域リストを示す。
【００２４】
【図２１】開示されている様々な態様又は実施形態に従い、ネットワークの異なるＣＣに基づいて、ＣＣデータセットを有する測定ギャップパターン構成の別のプロセスフローを示す。
【００２５】
【図２２】様々な態様による例示の電子（ネットワーク）デバイスを示す。
【００２６】
【図２３】様々な態様に従い、ネットワーク測定ギャップパターンを動作させるための例示のシステムを示す。
【００２７】
【図２４】様々な態様に従い、ネットワーク測定ギャップパターンを動作させるための例示のＵＥを示す。
【発明を実施するための形態】
【００２８】
次に、本開示は添付の図面を参照して説明され、全体にわたり同様の参照数字が同様の要素を指すのに用いられ、例示された構造及びデバイスは必ずしも縮尺通りに描かれてはいない。本明細書で用いる場合、「コンポーネント」、「システム」、「インタフェース」などの用語は、コンピュータ関連のエンティティ、ハードウェア、（例えば、実行中の）ソフトウェア、及び／又はファームウェアを指すよう意図されている。例えば、コンポーネントは、プロセッサ、プロセッサ上で動作するプロセス、コントローラ、回路又は回路要素、オブジェクト、実行ファイル、プログラム、ストレージデバイス、コンピュータ、タブレットＰＣ、及び／又は処理デバイスを有する携帯電話であってよい。例示として、サーバ上で動作するアプリケーション及びそのサーバも、コンポーネントであってよい。１つ又は複数のコンポーネントはプロセス内に存在してよく、コンポーネントは、１つのコンピュータ上にローカライズされてよい、及び／又は２つ以上のコンピュータの間に分散されてよい。要素のセット又は他のコンポーネントのセットが本明細書で説明されることがあり、その中で「セット」という用語は「１つ又は複数」と解釈され得る。
【００２９】
さらに、これらのコンポーネントは、例えば、モジュールなどと共に様々なデータ構造体を格納した様々なコンピュータ可読記憶媒体から実行することができる。コンポーネントは、１つ又は複数のデータパケット（例えば、ローカルシステム内、分散システム内、及び／又はインターネット、ローカルエリアネットワーク、ワイドエリアネットワーク、又は他のシステムを有する類似のネットワークなどのネットワーク全体にわたり、信号を介して別のコンポーネントと対話形式でやり取りする１つのコンポーネントからのデータ）を有する信号などに従い、ローカル処理及び／又はリモート処理を介して通信することができる。
【００３０】
別の例として、コンポーネントは、電気回路又は電子回路で動作する機械部品により提供される特定の機能を有する装置であってよく、電気回路又は電子回路は、１つ又は複数のプロセッサにより実行されるソフトウェアアプリケーション又はファームウェアアプリケーションで動作することができる。１つ又は複数のプロセッサは、装置の内部又は外部にあってよく、ソフトウェアアプリケーション又はファームウェアアプリケーションの少なくとも一部を実行することができる。さらに別の例として、コンポーネントは、機械部品を用いずに、電子コンポーネント又は電子素子を通じて特定の機能を提供する装置であってよく、その電子コンポーネントは、電子コンポーネントの機能を少なくとも部分的に与えるソフトウェア及び／又はファームウェアを実行する１つ又は複数のプロセッサを中に含むことができる。
【００３１】
例示的という単語の使用は、具体的な方式でコンセプトを提示することが意図されている。本出願で用いられるとき、「ｏｒ（又は）」という用語は、排他的「ｏｒ」ではなく、包含的「ｏｒ」を意味することが意図されている。すなわち、別途規定されない限り、又は文脈から明らかではない限り、「ＸはＡ又はＢを使用する」とは、自然な包含的置換のいずれかを意味することが意図されている。すなわち、ＸはＡを使用する、ＸはＢを使用する、あるいは、ＸはＡ及びＢの両方を使用するならば、前述の例のいずれかのもとで「ＸはＡ又はＢを使用する」が満たされる。さらに、本出願及び添付の特許請求の範囲に用いられる冠詞「ａ」及び「ａｎ」は一般に、単数形を対象としていることが別途規定されない限り、又は文脈からそれが明らかではない限り、「１つ又は複数」を意味すると解釈されるべきである。さらに、「ｉｎｃｌｕｄｉｎｇ（含む）」、「ｉｎｃｌｕｄｅｓ（含む）」、「ｈａｖｉｎｇ（有する）」、「ｈａｓ（有する）」、「ｗｉｔｈ（有する）」という用語、又はこれらの異形が、詳細な説明及び特許請求の範囲のいずれかで用いられる限りにおいて、そのような用語は、「ｃｏｍｐｒｉｓｉｎｇ（備える）」という用語と類似の態様で包含的であることが意図されている。
【００３２】
本明細書で用いられるとき、「ｃｉｒｃｕｉｔｒｙ（回路）」という用語は、特定用途向け集積回路（ＡＳＩＣ）、電子回路、１つ又は複数のソフトウェア又はファームウェアプログラムを実行するプロセッサ（共有、専用、又はグループ）及び／又はメモリ（共有、専用、又はグループ）、組み合わせ論理回路、及び／又は、説明された機能を提供する他の好適なハードウェアコンポーネントを指してよく、それらの一部であってよく、あるいはそれらを含んでよい。いくつかの実施形態において、回路は、１つ又は複数のソフトウェア又はファームウェアモジュールに実装されてよく、あるいは、回路に関連付けられた機能が１つ又は複数のソフトウェア又はファームウェアモジュールによって実装されてもよい。いくつかの実施形態において、回路は、ハードウェアで少なくとも部分的に動作可能なロジックを含むことができる。
【００３３】
上述の不備を考慮して、本明細書で説明されるネットワークデバイス（例えば、マクロセル、アクセスポイント（ＡＰ）、アクセスコントローラ（ＡＣ）、ｅＮＢ、スモールセル、ＵＥなど）は、１つ又は複数の特定の測定ギャップパターン及び関連の解決手法が、３２個までのキャリアコンポーネント（ＣＣ）のＬＴＥキャリアアグリゲーション（ＣＡ）をＤＬ及びＵＬのためにサポートすることを可能にし得る。ＣＡ処理の場合、２つの測定実行グループだけでは、ＬＴＥ  ＣＡが３２個までのＣＣ又はそれを超えるＣＣをサポートするのに十分ではないことがある。様々な測定ギャップパターンが本開示において提案され、コンポーネントキャリア（ＣＣ）単位に基づき、又は測定ギャップパターンの一部として測定されている特定のＣＣに従い、測定ギャップにおいて、より効率的にキャリアを測定する。
【００３４】
測定ギャップパターンは、ＵＥが、ある時間周期又は継続時間内で周波数キャリア（例えばＣＣ）測定を容易にすることができる測定ギャップのパターンと呼ばれ得る。例えば、ＵＥは、（コンポーネント）キャリアの測定を実行するために、測定ギャップの間に、ＵＥが接続されているサービングバンドから異なる帯域（ＣＣ）に切り換えるよう動作することができる。本明細書で用いられるサービングバンドという用語は、ダウンリンクデータを受信するサービングバンドとしてＵＥが当該帯域に接続され得ることを意味し、この場合、測定は当該帯域において必ずしも必要ではなく、その理由は、ＵＥが既に当該帯域において又は当該帯域上で動作しているからである。
【００３５】
本明細書のいくつかの態様において、ＵＥは、ＵＥにより実装される特定の測定ギャップパターンの測定ギャップ構成データを有するＲＲＣ通信を受信することができる。ＵＥは、ＣＣ単位で測定ギャップパターンを修正するためのインジケーションをｅＮＢに提供するために、ｅＮＢからのＲＲＣ通信に応答することができる。例えば、ＵＥは、特定の通信チェーン（送信回路経路又は受信回路経路）、及び測定ギャップパターンのパラメータを指定する様々な基準に関連したＣＣカバレッジ機能などのＵＥ機能を提供するサポートＣＣデータセット又は帯域リストを有するＲＲＣ通信に応答することができる。ｅＮＢは次に、ＵＥフィードバックに応答して、本明細書で論じられる１つ又は複数の測定ギャップパターンのパラメータ又は変数に関するＵＥ機能又はフィードバックに基づいて、特定の測定ギャップパターンを再構成することができる。ＵＥは次に、測定ギャップパターンが、ｅＮＢにより提供された異なる再構成データで、どのように、いつ、どんな態様で実装されるかを再構成することができる。本開示のさらなる態様及び詳細が、図を参照して以下にさらに説明される。
【００３６】
図１は、基地局ネットワークデバイス（例えば、ｅＮＢ）と、周波数キャリア数又はキャリアコンポーネント数の増加をサポートするＬＴＥ  ＣＡ向けのＵＥとの間の通信を介して、１つ又は複数の測定ギャップ構成を容易にする又は可能にすることができる、限定されない無線通信環境１００の例を示す。無線通信環境１００は、多数の無線通信ネットワークを含むことができ、各無線通信ネットワークは、それぞれのカバレッジエリアを有する。一部の無線通信ネットワークのカバレッジエリアは重複することができ、その結果、カバレッジエリアが重複するネットワークデバイスのうちのいずれか１つが、１つ又は複数のモバイルデバイスに対応することがある。
【００３７】
無線通信環境１００は、１つ又は複数のセルラブロードキャストサーバ又はマクロセルネットワークデバイス１０２、１０４（例えば、基地局、ｅＮＢ、アクセスポイント（ＡＰ）など）と、無線通信環境１００内に展開され、１つ又は複数のＵＥデバイス１１０、１１２、１１４、１１６、１１８にサービスを提供する１つ又は複数のスモールセルネットワークデバイス又はＡＰ（例えば、スモールｅＮＢ、マイクロｅＮＢ、ピコｅＮＢ、フェムトｅＮＢ、ホームｅＮＢ（ＨｅＮＢ）、又はＷｉ−Ｆｉ（登録商標）ノード）１０６、１０８とを含む。各無線通信ネットワーク（例えば、セルラブロードキャストサーバ１０２、１０４、及びスモールセルネットワークデバイス１０６、１０８）は、１つ又は複数のＵＥデバイス１１０、１１２、１１４、１１６、又は１１８のネットワークトラフィックを処理するために、合同して動作する１つ又は複数のネットワークデバイス（例えば、ネットワークデバイス（ＮＤ）のセット）を備えることができる。例えば、マクロセルＮＤ１０２、１０４は、セルラ対応ネットワークデバイスであるネットワークデバイスのセットを備えることができる。別の例において、スモールセルネットワークデバイス１０６、１０８は、例えば、マクロセルネットワークデバイス１０２及び１０４より小さいカバレッジゾーンで動作するネットワークデバイスのセットを含むことができる。
【００３８】
ＮＤ１０６及び１０８はスモールセルネットワークデバイスとして説明されているが、これらは、Ｗｉ−Ｆｉ（登録商標）対応デバイス又は無線ローカルエリアネットワーク（ＷＬＡＮ）デバイス、並びにマクロセルネットワークデバイス、スモールセルネットワークデバイス、又は例えば基地局、ｅＮＢ、セカンダリセルネットワークデバイスとして動作可能な他の何らかのタイプのＮＤであってもよい。あるいは、マクロセルＮＤ１０２及び１０４のうちの１つ又は複数は、例えば、異なる周波数キャリアで動作する異なる無線アクセス技術（ＲＡＴ）のスモールセルネットワークデバイス又は他のＮＤであってもよい。
【００３９】
図示されるように、１つ又は複数のＷｉ−Ｆｉ（登録商標）アクセスポイント１０６、１０８のそれぞれは、対応するサービスエリア１２０、１２２を有することができる。さらに、１つ又は複数のセルラブロードキャストサーバ又はマクロセルＮＤ１０２、１０４のそれぞれは、対応するサービスエリア１２４、１２６を有することができる。しかし、無線通信環境１００は、この実装に限定されてはいないことを理解されたい。例えば、それぞれのサービスエリアを有する任意の数のＡＰ又はＮＤが、無線通信環境１００内に展開されてよい。さらに、任意の数のセルラブロードキャストサーバ及びそれぞれのサービスエリアが、無線通信環境１００内に同様に展開されてよい。
【００４０】
５つのＵＥデバイス１１０、１１２、１１４、１１６、１１８だけが図示されているが、任意の数のＵＥデバイスが、無線通信環境１００内に同様に展開されてよい。ＵＥデバイスは、例えば、システム、加入者ユニット、加入者局、移動局、モバイル、無線端末、デバイス、モバイルデバイス、リモート局、リモート端末、アクセス端末、ユーザ端末、端末、無線通信デバイス、無線通信装置、ユーザエージェント、ユーザデバイス、又は他のＮＤの機能のうちの一部又は全てを含むことができる。モバイルデバイスは、携帯電話、コードレス電話、ＳＩＰ（Ｓｅｓｓｉｏｎ  Ｉｎｉｔｉａｔｉｏｎ  Ｐｒｏｔｏｃｏｌ：セッション開始プロトコル）フォン、スマートフォン、フィーチャーフォン、無線ローカルループ（ＷＬＬ）局、携帯情報端末（ＰＤＡ）、ラップトップ、ハンドヘルド通信デバイス、ハンドヘルドコンピューティングデバイス、ネットブック、タブレット、衛星無線、データカード、無線モデムカード、及び／又は、無線システムを介した通信向けの別の処理デバイスであってよい。さらに、ＵＥデバイス１１０、１１２、１１４、１１６、１１８は、本明細書でさらに十分に説明される機能を含むことができ、デュアル接続デバイスとしても構成されてよく、ここで、ＵＥデバイス１１０、１１２、１１４、１１６、１１８のうちの１つ又は複数は、異なるＲＡＴ（例えば、ＬＴＥ及びＷＬＡＮ、又は他の組み合わせ）からなる１つより多いｅＮＢ又はＮＤに接続されてよい。
【００４１】
１つの態様において、セルラブロードキャストサーバ、又はマクロセルＮＤ１０２、１０４及びスモールセルＮＤ１０６、１０８は、（例えば、それぞれの測定コンポーネントを使用することで）周辺の無線状況を監視することができる。例えば、マクロセルＮＤ１０２、１０４及びスモールセルＮＤ１０６、１０８のそれぞれは、ネットワーク診断手順を実行することで、それぞれのネットワークにおけるネットワークトラフィック負荷を決定することができる。一例として、ネットワーク待ち受け手順の間に、マクロセルＮＤ１０２、１０４、スモールセルＮＤ１０６、１０８、又はＵＥデバイス１１０、１１２、１１４、１１６、１１８は、ネットワーク性能の統計データ又はネットワークパラメータ（例えば、周波数、ＳＮＲ、信号品質、ＱｏＳ、ＱｏＥ、負荷、輻輳、信号レートなど）を決定するために、自らの無線環境を探査することができる。マクロセルＮＤ１０２、１０４及びスモールセルＮＤ１０６、１０８に関連した様々なパラメータが、ＵＥデバイスによるネットワーク診断手順又は測定の間に検出されてよく、それらのパラメータには、限定されないが、周波数帯域、スクランブリングコード、共通チャネルパイロット電力、それぞれのネットワーク全体にわたる帯域幅、ユニバーサル移動体通信システム地上波無線アクセスの受信信号強度インジケータ、及び特定のセルグループ（例えば、標準グループ又は縮小グループ）の周波数キャリア優先順位などがある。
【００４２】
ある例示のシナリオにおいて、ＵＥデバイス１１０、１１２、１１４、１１６、１１８は、マクロセルＮＤ１０２、１０４、又はスモールセルＮＤ１０６、１０８のうちの１つを通してネットワークによりサービスを提供されてよい。ユーザ機器デバイスは、無線通信環境１００内を移動するので、それぞれのユーザ機器デバイスは、関連したサービングネットワークのカバレッジエリアの内外に移動することがある。例えば、ユーザは、それぞれのＵＥデバイスを通して通信を送信／受信しているとき、ユーザは、歩行している、車に乗っている、電車に乗っている、人口が密集した市街地（例えば、大都市）を動き回っていることがあり、こうした移動によって、モバイルデバイスは様々な無線通信ネットワークの間を移動させられることがある。そのような場合には、通信を継続する（例えば、通話切断を回避する）ために、あるいは負荷分散又は他の効率を目的にオフロードを容易にするために、ＵＥがネットワークトラフィックをサービングＮＤからターゲットＮＤにルーティングする（例えば、ハンドオフする）ことが有益である。しかし、測定するＮＤ数及び周波数キャリア数が増加すると、ＵＥデバイス１１０、１１２、１１４、１１６、１１８は、割り振られた時間測定ギャップ内で各キャリアを測定できることに問題を抱えることがある。ＵＥデバイス１１０、１１２、１１４、１１６、１１８は、数が増加したキャリア（例えば３２個以上）を測定しなければならないので、これらの測定ギャップはさらに多くの遅延をもたらすことがある。
【００４３】
１つの例において、異なる周波数の２つの周波数キャリア（例えば、ＬＴＥ  ＣＡのキャリアコンポーネント（ＣＣ））がネットワーク環境１００に存在する場合、例えば４０ミリ秒（ｍｓ）が測定ギャップになり得、あるいは、例えば４０ｍｓ、８０ｍｓ、又は他のギャップなど、何らかの他のギャップになり得る。２つ以上のＣＣがあるので、例えばキャリアアグリゲーションをサポートする場合、ＵＥデバイス１１０、１１２、１１４、１１６、１１８は、サービング周波数である１つのキャリア上で動作する可能性があり、したがって、１つの追加のキャリアを測定するだけでよいことになる。このように、４０ｍｓごとに、ＵＥ（例えば、ＵＥ１１０）、例えば、ＵＥ１１０、１１２、１１４、１１６、１１８は、別のキャリアに切り換えて、そこで測定を実行することができる。このことは、４０ｍｓごとに、ＵＥ１１０は、例えば、測定ギャップ受信周期（ＭＧＲＰ）として一度測定し得ることを意味する。各測定サンプルにおいて、測定は、周波数帯域、当該周波数帯域で動作（通信）するネットワークデバイスに関連したネットワーク状況、又は、信号強度、チャネル品質、信号対雑音干渉比（ＳＩＮＲ）、受信信号強度インジケータ（ＲＳＳＩ）などのチャネル状況に関する任意のネットワーク測定、あるいは、基準信号受信電力（ＲＳＲＰ）、基準信号受信品質（ＲＳＲＱ）などの他の測定を含むことができる。ＵＥは次に、これらの測定のうちの１つ又は複数に基づいて、送信するための送信経路に対して、チャネル状態情報（ＣＳＩ）、１つ又は複数のチャネル品質インジケータ（ＣＱＩ）などを生成することができる。
【００４４】
しかし、２つ以上の追加のキャリアが、ＵＥデバイス１１０が測定する（ＵＥデバイス１１０に通信可能に結合された）ネットワーク上、又は通信範囲内に存在する場合、ＵＥデバイス１１０がデータをダウンリンクし、通信することができるサービング周波数キャリアを有するネットワーク上に、３つのＣＣが存在し得る。一連のギャップのうち第１の測定ギャップにおいて、ＵＥデバイス１１０は第２の周波数（例えば、サービング周波数が第１である）を測定することができ、例えば、第２の測定ギャップ又は続く測定ギャップにおいて、ＵＥデバイス１１０は異なるＣＣの第３の周波数を測定することができる。このことは、８０ｍｓごとに、ＵＥデバイスはＣＣを一度だけ測定することになり得ることを意味し、これは、１つの周波数キャリアを測定するだけよりも長い遅延になり得、ここで、総遅延は、ＵＥデバイス１１０が測定しなければならないキャリア数に比例する。したがって、３２個以上のキャリアの場合、１つ又は複数の異なるＮＤの特定の周波数又は複数の周波数（異周波間又は同一周波数内）から１つのサンプルを得るには、約３２×４０ｍｓのギャップ遅延（測定ギャップ繰り返し／受信周期）を意味することになる。この長い遅延はＵＥにとって問題を生み出すことがあり、それにより、十分な時間フレーム又は効率的な時間フレーム内で周波数を測定することができないことがある。この長い遅延は、例えば、ネットワークハンドオーバに関する、及びどのセル又はセルＮＤが、ある適切な時間において最適であるかをＵＥデバイス１１０の状況に基づいて決定することに関する、さらなる問題も引き起こす可能性がある。
【００４５】
したがって別の態様において、ネットワークの目的は、標準性能グループに属するキャリアの時間測定ギャップを拡張することであり、標準性能グループは、縮小性能グループより多くの測定を受けることができる。ネットワークは、どのキャリア又はＮＤがどのグループの一部であるかを割り当てることができる。例えば、標準性能グループはマクロセルＮＤ１０２および１０４を有することができ、縮小性能グループはスモールセルＮＤ１０６、１０８を有することができる。しかし、ＮＤ及び関連周波数キャリアの任意の組み合わせは、ネットワーク又はＮＤデバイス（例えば、マクロセルＮＤ１０２）などにより指定されてよい。ネットワークのＮＤ又はＵＥは、ＤＬ及びＵＬの両方に３２個までのコンポーネントキャリアのキャリアアグリゲーションを可能にし、さらに、約５個以上の周波数キャリアが、例えば、一度にサポートされることを可能にするよう、様々な実施形態において拡張されてよい。こうして、さらに又はＣＡに対して代替的に、ＣＡにおいて３２個までのＣＣをサポートする、ＣＡのための２つの測定性能グループと、ＣＡのための様々な特定のセルの測定ギャップパターンとが開示される。
【００４６】
図２を参照すると、ｅＮＢ（例えば、ＮＤ１０２、１０４）からＵＥ（例えば、ＵＥデバイス１１０）に命令する、キャリアのいくつかの測定の識別子（ＩＤ）に関する例が示される。
ＬＴＥにおける無線リソース測定（ＲＲＭ）では、ＵＥ１１０が測定を実行する周波数キャリア又は帯域は、測定オブジェクト（例えば、ｍｅａｓＯｂｊｅｃｔ）により構成され得る。測定オブジェクトＩＤの最大数であるｍａｘＯｂｊｅｃｔＩＤ２０２は、例えば、３ＧＰＰ規定に定義され得る。原則として、単一の測定オブジェクトは、無線周波数（ＲＦ）キャリアごとに構成される。リリース１３のＣＡに関して予想される３２個までのＣＣを考慮すると、理論的に、オブジェクトに適合する測定オブジェクトＩＤの数は、さらに大きい値（例えば、６４個）に増加し得る。一方、データフィールド２０２により表現される最大値は、まだ十分であり得る。ＵＥ１１０が３２個までのＣＣで構成されるとき、ｅＮＢは、同じ周波数帯域の１つのＣＣに関する測定レポートから、ＣＣ管理の目的に必要な情報を導出し得るといういくつかの場合が存在することがある。例えばそのような解決手法は、例えば、キャリアＢ及びキャリアＣが同じ周波数帯域にある場合、少なくともキャリアＢ及びキャリアＣのアグリゲーションに適用され得る。それに応じて、必要な測定オブジェクトＩＤは減少してよく、また現在の値は十分である可能性がある。
【００４７】
ＩＤ２０２は、オブジェクトＩＤの測定を指定する方法として、３２個のＣＣを含む。ネットワークが３２個を超えるＣＣを収容するために測定オブジェクトを拡大する場合（例えば、最大整数６４を指定するデータＩＤ２０４のｍａｘＯｂｊｅｃｔ  ＩＤにあるように）、ネットワークは、より多くの測定オブジェクトを測定構成（ＭｅａｓＧａｐＣｏｎｆｉｇ）にリンクするよう構成することもでき、その構成において、３２個では十分でないことがある。したがって、ｅＮＢのＮＤ１０２は、数が増加したキャリア周波数を収容するために、単なる例であるが、約６４個のＣＣ又は他の数量に増加させる提案を提供することができる。例えばＥ−ＵＴＲＡＮは、例えばデータＩＤ２０２又は２０４、あるいは何らかの他の増加を有するプロセッサを利用して、その後、例えば、ＵＥ１１０がｍｅａｓＣｏｎｆｉｇを受信するときはいつでも、ｍａｘＯｂｊｅｃｔＩＤを有する各サービング周波数のｍｅａｓＯｂｊｅｃｔを含むことを保証することができる。
【００４８】
図３を参照すると、様々な実施形態に従い、また図１を参照して、測定ギャップパターン３００の例が示されている。測定ギャップパターン３００は、例えば、４０ｍｓ又は８０ｍｓの測定ギャップ繰り返し／受信周期で動作することができる。測定ギャップパターン３００は、例えば、各ギャップの一定したギャップ継続時間が約６ｍｓの単一の無線周波数（ＲＦ）チェーン（不図示）で動作するための単一のサーバ（サービング）帯域を用いて実装されてよく、これはｅＮＢ（例えば、ＮＤ１０２）によってＵＥデバイス（例えば、１１４）に提供されてよい。ＲＦチェーン（例えば、送信回路コンポーネント／受信回路コンポーネント）は、例えば、様々な範囲のＲＦスペクトルを扱うことができる１つ又は複数の処理コンポーネント（例えば、フィルタ、デジタル信号プロセッサ、増幅器、又はデータ信号を処理するための他のコンポーネント）を有することができる。ＵＥ１１４は、測定ギャップパターン３００を介して、特定の周波数のコンポーネントキャリアの異周波間測定を行う全てのＲＦチェーン（例えば、図４に示されるＲＦチェーン４０２、４０４、又は他の通信コンポーネント）を利用する必要はない。
【００４９】
上述したように、各ギャップの継続時間は約６ｍｓ又は他の継続時間であってよく、この継続時間は、例えば、ｅＮＢ（例えば、ＮＤ１０２）によって図１のＵＥデバイス１１４に適用されてよく、又は設定されてもよい。この６ｍｓのギャップの間には、データ送信は行われない。しかし、ＵＥデバイス１１４はＣＡ機能も有することができ、これは、ＵＥデバイス１１４が１つより多いＲＦチェーンを一度に用いて動作できることを意味する。こうして、１つより多いＲＦチェーン（例えば、４０２及び４０４）を用いると、ＵＥデバイス１１４は、測定にＲＦの一部を用い、同時にデータを有することで、スループットゲインを増加させ得ることが可能である。このように、ギャップを用いない無線リソース管理（ＲＲＭ）測定は、１５％までのスループットゲイン（例えば、４０ｍｓのＭＧＲＰ）をもたらすことができ、このように、特に多数のＣＣを用いるＣＡの場合には、ＵＥデバイス性能を向上させることが望まれる。この利点を実現するために、測定ギャップは、適切なサービングセル（すなわち、関係する周波数を測定するＲＦ回路上で動作するサービングセル）だけに、又は、例えば以下にさらに論じられる特定のＣＣだけに、さらによく適用され得る。
【００５０】
測定ギャップパターン３００（すなわち、４０ｍｓのＭＧＲＰ、８０ｍｓのＭＧＲＰ、又は他のＭＧＲＰ）は、ネットワークによってＵＥ１１４に設定されてよい。ネットワークデバイス（例えば、ｅＮＢ１０２）は、ＵＥ１１４が測定要件を満たすために１つの帯域／コンポーネントキャリアの測定を一度に実行すること、並びに、測定ギャップの間の全ての帯域／ＣＣはダウンリンク送信を有することはないことを考慮することができる。例えば、ネットワークは、サービングバンドが帯域Ａ（３０２）であり、これが、ＵＥが関連した動作を容易にするサービング周波数であり得るように、利用可能な５つの周波数を有することができる。他の帯域には、例えば、帯域Ｘ（３０４）、帯域Ｙ（３０６）、帯域Ｚ（３０８）、及び帯域Ｌ（３１０）が含まれてよく、これらの帯域はそれぞれ異なるコンポーネントキャリアを有してよい。黒のギャップは、測定が実行できないことを示し（例えば、図３には示されていない）、暗い陰影付きのギャップ（例えば、ギャップ３１２）は、帯域の測定を実行できることを示し、明るい陰影付きのギャップ又はハッシュされたギャップ（例えば、３１４）は、データ送信を行うことができないことを示す。
【００５１】
ＵＥデバイス１１４は、測定ギャップパターン３００に基づき、第１の４０ミリ秒ギャップ３１６でＣＣ  Ｘ（３０４）に対して測定を実行することができるが、サービングＣＣ  Ａ（３０２）ではデータ送信は行われない。各ＣＣは、例えば、ＤＬ又はＵＬの周波数ＣＣ又は周波数範囲を表すことができる。次の４０ミリ秒の測定ギャップ３１８において、例えば、ＵＥデバイス１１４は、ＣＣ  Ｙ（３０６）を測定することができる。第３の測定ギャップ３２０において、ＵＥデバイス１１４は、ＣＣ  Ｚ（３０８）を測定することができ、次に第４の測定ギャップ３２２においてＣＣ  Ｌ（３１０）を測定することができる。ＵＥデバイス１１４は、ＣＣ  Ｘ（３０４）を再度測定するために再び繰り返すことができ、ここで、一連の測定ギャップが継続的に繰り返されてよい。
【００５２】
図４を参照すると、ＣＡシナリオ４００の例が例示のＵＥ１１４と共に示され、ＲＦチェーン１（４０２）では、ＵＥデバイス１１４は、例えば、帯域Ｘ及び帯域Ｙ（例えば、ＣＣ  Ｘ（３０４）及びＣＣ  Ｙ（３０６））として異なる周波数ＣＣを扱うことができる。ＲＦチェーン１（４０２）及びＲＦチェーン２（４０４）のそれぞれは、例えば、フィルタと、フィルタをインクレメントし、さらにデータ用のＲＦ信号を処理するハードウェアとを含むことができる信号処理チェーン用の１つ又は複数のコンポーネントを含むことができる。周波数が高くなり得るので、ＲＦチェーンの全てが、周波数ＣＣの全てを一度に扱うことができるわけではない。例えば、ＲＦチェーン１（４０２）は、ＣＣ  Ｘ（３０４）（例えば、３ＧＰＰにより規定される、ＤＬ又はＵＬの任意の周波数範囲）及びＣＣ  Ｙ（３０６）だけを扱うことができる。さらに、ＲＦチェーン２（４０４）は、帯域Ｚ（３０８）及び帯域Ｌ（３１０）という異なるＣＣだけを扱うことができ、ここで、ＲＦチェーン１（４０２）及びＲＦチェーン２（４０４）のそれぞれは、特定の周波数ＣＣ（例えば、コンポーネントキャリア）又は周波数スペクトルの帯域幅を扱うことができ、ここで、コンポーネントキャリアは、例えば、周波数帯域又は周波数スペクトルの特定の帯域幅を指すことができる。
【００５３】
次に図５を参照すると、ネットワーク上の１つ又は複数のネットワークデバイスを介して、測定遅延を削減するために、リリース１４及び以降の今後の他のリリースに適した、測定ギャップ構成の情報要素の別の測定ギャップパターン５００に関する例が示されている。図３の測定ギャップパターン３００と同様に、測定ギャップパターン５００での測定遅延が、各帯域（例えば、ＣＣ  Ｘ、Ｙ、Ｚ、及びＬ）の測定サンプルを取得する４回の測定のパターンで発生する。このように、１６０ｍｓごとに、ＵＥデバイス１１４は各ＣＣの１つのサンプルを取得することができ、これが測定遅延とみなされる。測定ギャップパターン３００において、ＵＥデバイス１１４は、例えば１つのサービング周波数を用いてＣＣ  Ｘ（３０４）及びＣＣ  Ｙ（３０６）を測定することができ、第２のサービング周波数を用いてＣＣ  Ｚ及びＣＣ  Ｌを測定することができる。
【００５４】
第１の測定ギャップ５０４において、ＵＥデバイス１１４は、ＲＦチェーン１（４０２）を用いてＣＣ  Ｘ（３０４）を、ＲＦチェーン２（４０４）を用いてＣＣ  Ｚ（３０８）を測定することができ、しかも同時に測定することができる。同様に、第２の測定ギャップ５０６において、ＵＥデバイス１１４は、ＲＦチェーン１（４０２）を用いてＣＣ  Ｙを測定することができ、ＲＦチェーン２（４０４）を用いてＣＣ  Ｌ（３１０）を測定することができる。その後、このパターンが、測定ギャップ５０８および５１０のために繰り返される。次に、各測定ギャップにおいて、ＵＥデバイス１１４は、１つのＣＣの代わりに２つのＣＣを測定することができ、したがって、ＵＥデバイス１１４は両方のＲＦチェーンを同時に利用できるので、測定遅延は半分に削減されている。全ての帯域又はＣＣの測定サンプルを取得するのに４つの測定ギャップを必要とする代わりに、例えばこのシナリオでは、２つだけが用いられてよい。
【００５５】
追加的に又は代替的に、ＵＥデバイス１１４が２つのＲＦチェーンの代わりに１つのＲＦチェーンだけを有し、測定要件も１つのＲＦチェーンだけに基づいており、適切な通信がネットワークデバイス間（例えば、ＵＥ１１４とｅＮＢ１０２との間）で保証されない限り、ネットワークデバイス又はＵＥ機能を活用することができないと、ネットワークは仮定することができる。したがって、ＣＡ特有の測定パターン測定に基づいて、通信をさらに容易にするために、ギャップ構成が３ＧＰＰ規格（ＴＳ３６．３３１）にさらに追加され得る。既存の０と１だけを利用する代わりに、これは４０ｍｓ及び８０ｍｓであるが、ＣＡ−ｇａｐ０（６０２）として図６に示されるように、さらなる規定が追加されてよく、これは情報要素（ＩＥ）６００に関する測定ギャップ構成（ＭｅａｓＧａｐＣｏｎｆｉｇ）の一部である。
【００５６】
図６は、例えば、図５及び図８に示されるような測定ギャップパターンがＮＤ間（例えば、ｅＮＢとＵＥとの間）で伝達される、又はその間に実装されることを可能にする測定ギャップ構成又はＭｅａｓＧａｐＣｏｎｆｉｇの例を示している。データスロット又は項目ＣＡ−ｇａｐ０（６０２）は、ギャップ繰り返し周期６０４を示し、これは４０ｍｓ及び８０ｍｓであってよく、さらに任意又は今後の拡張のために１つ又は複数のスペアを有することができる。さらに、ＭｅａｓＧａｐＣｏｎｆｉｇ  ＩＥのＣＡ−ｇａｐ０（６０２）データ項目は、測定ギャップオフセット６０６をさらに含むことができ、これは、ギャップがさらなる測定をいつ開始したかを示す。ＣＡ−ｇａｐ０６０２はさらに、帯域測定リスト（ｂａｎｄＭｅａｓｕｒｅｍｅｎｔＬｉｓｔ）（又はサポートＣＣデータセット）６０８を示し、ここには、ＵＥがこの測定ギャップを用いてどの測定帯域を測定すべきかが含まれている。例えば、測定を必要とする特定の帯域を、帯域測定リスト６０８を用いて、より頻繁に又はともかく示すことで、縮小性能グループ又は標準性能グループが分割され指定されてもよい。
【００５７】
ギャップオフセット（ｇａｐＯｆｆｓｅｔ）は、例えば、測定ギャップ繰り返し／受信周期（ＭＧＲＰ）＝４０ｍｓであるギャップパターンＩＤ「０」のギャップオフセットに、ｇｐ０の値が対応し得ることを説明している。ｇｐ１のギャップオフセットは、ＭＧＲＰ＝８０ｍｓであるギャップパターン「１」のギャップオフセットに対応し得る。例えば、これらのギャップオフセットパターンＩＤは、リリース１３以降の規定に定義されるように、適用される測定ギャップパターンを指定するのに用いられてよく、これにより、例えば、ＩＤの中から（例えば、ＵＥ１１４又はｅＮＢ１０２を介して）選択を決定するための情報が提供される。例えば、ＣＡ−ｇａｐ０（６０２）は、例えばＴＳ３６．１３３に定義されるｇａｐＲｅｐｔｉｔｉｏｎＰｅｒｉｏｄ（６０４）と、選択されたギャップパターン繰り返し周期（又はＭＧＲＰ）（ｇａｐＲｅｐｅｔｉｔｉｏｎＰｅｒｉｏｄ）、又は例えば３ＧＰＰ規定のＴＳ３６．１３３に定義される測定ギャップパターン繰り返し周期に基づくｇａｐＯｆｆｓｅｔ値としてｇａｐＯｆｆｓｅｔ−ｒ１３（６０６）とを含む。最終的に、ｂａｎｄＭｅａｓｕｒｅｍｅｎｔＬｉｓｔ（６０８）は、同じギャップ周期又はＭＧＲＰを用いて測定され得る帯域／ＣＣを指定する又は示す。
【００５８】
代替的に、図７は、３ＧＰＰリリース１４以降の代替となる、ＣＣ単位に基づく測定ギャップパターンを用いるキャリアアグリゲーション（例えば、ＣＡ−ＭｅａｓＧａｐＣｏｎｆｉｇ−ｒ１３のＩＤ）７００の測定構成（ＭｅａｓＧａｐＣｏｎｆｉｇ）ＩＥを示す。第１のオプションは、図６で上述されたように既存のＩＥに別の測定ギャップを追加することであってよいが、ＣＡ７００の新たな測定ギャップ構成であるＣＡ−ＭｅａｓＧａｐＣｏｎｆｉｇ−ｒ１３  ＩＥが、図６のＩＥ６００と少なくとも一部類似したコンテンツを用いて示されてもよい。例えば、ギャップ繰り返し周期７０２は、４０ｍｓ及び８０ｍｓであってよく、さらに任意又は今後の拡張のために１つ又は複数のスペアを有することができる。さらに、ＭｅａｓＧａｐＣｏｎｆｉｇ−ｒ１３  ＩＥは、測定ギャップオフセット７０４をさらに含むことができ、これは、ギャップがさらなる測定をいつ開始したかを示すことができ、選択されたギャップパターン繰り返し周期に基づいている（例えば、ｅＮＢ１０２による、又はＵＥ１１４による選択に基づいてｅＮＢ１０２により再構成される）。帯域測定リスト（ｂａｎｄＭｅａｓｕｒｅｍｅｎｔＬｉｓｔ）７０６には、この測定ギャップ又は測定ギャップパターンを用いて、ＵＥ１１４がどの測定帯域（又はＣＣ）を測定すべきかがさらに含まれる。
【００５９】
図８は、ネットワークデバイス（例えば、ｅＮＢ及びＵＥ）の間のダウンリンクのデータ効率を高めることを可能にし得る、別の測定ギャップパターン８００を示す。ＵＥのサービングＣＣは、上記のように、ＣＣ  Ａ（３０２）及びＣＣ  Ｂ（５０２）である。ＲＦチェーン１（４０２）（ＲＦ＿１）は、Ｘ（３０４）及びＹ（３０６）のほかにサービングＣＣ  Ａ（３０２）もサポートする。ＲＦチェーン２（４０４）（ＲＦ＿２）は、Ｚ（３０８）及びＬ（３１０）のほかにサービングＣＣ  Ｂ（５０２）もサポートする。したがって、ＵＥデバイス１１４は、例えば、ＲＦチェーン１（４０２）及びＲＦチェーン２（４０４）の両方を用いて、第１の測定ギャップスロット５０４において、ＣＣ  Ｘ（３０４）及びＣＣ  Ｚ（３０８）の測定を同時に実行することができる。同様に、ＵＥデバイス１１４は、第３の測定ギャップ時間スロット５０８において、ＣＣ  Ｙ（３０６）及びＣＣ  Ｌ（３１０）の測定も同時に実行することができる。同じ測定性能を用いて、ＵＥデバイス１１４は次に、第２の測定ギャップスロット５０６及び第４の測定ギャップスロット５１０において、ＣＣ  Ａ（３０２）及びＣＣ  Ｂ（５０２）でのデータのダウンリンクを容易にする又は可能にすることができる。ここで、データ内のダウンリンクギャップは、これらの特定のＣＣ又はサービングバンドＡ（３０２）及びサービングバンドＢ（５０２）には必要とされない。
【００６０】
このように、ネットワークデバイスは、ＣＡ特有のギャップパターンとして測定ギャップパターン８００を利用し、（例えば、上記に示された）他の測定ギャップパターンより、ダウンリンクのデータ効率を高めることができる。したがって、ネットワーク又はＮＤは、上記の図にあるように、類似のデータパターンをＵＥデバイス１１４に対して構成することができる。しかし、ＵＥデバイス１１４がＲＦチェーン（例えば、４０２、４０４など）を利用してさらに多くの測定をもたらすことを可能にする代わりに、ネットワークは、いくつかのギャップパターンの間に、ＵＥ機能に基づいてＵＥ１１４とｅＮＢ１０２との間で構成された妥協案（ＲＦチェーン４０２、４０４、及びそのそれぞれのＣＣスペクトルカバレッジ）として、データをＵＥデバイス１１４に送信することができる。例えば、ｅＮＢ１０２あるいは他のネットワークデバイス又はエンティティの決定は、ネットワーク状況、ネットワーク要求、又はネットワーク状態報告（例えば、ＵＥ１１４からのサポートＣＣデータセット）に基づき、ＣＣ測定ギャップパターンが、例えば、特定のＣＣ又はＣＣの組み合わせ、遅延又はギャップの減少、ギャップなし、より長いギャップ、データ効率／送信の増加又は組み合わせに基づいて最も望まれるＵＥ機能を伴っていてよい。
【００６１】
図９は、データ効率／送信の増加と遅延の減少という、上記に論じられた両方の利点を、１つ又は複数のネットワークデバイス（例えば、ｅＮＢ１０２、ＮＤ１１４、又は他のＮＤ）を介して利用することができる測定ギャップパターン９００の別の例を示す。前に論じられた図８の測定ギャップパターン８００は、測定ギャップ又は測定ギャップ時間スロットを１つおきになど、いくつかのデータ測定ギャップの間のダウンリンクにおいて、データが通過することを可能にするようデータ送信を増加させている。測定ギャップパターン９００は、ミニギャップ又はスモールギャップパターン方式によるデータ送信を可能にし、その間にダウンリンクデータ及び帯域の測定を継続させておく。
【００６２】
測定ギャップパターン９００において、ＵＥデバイス１１４は、例えば、ＵＥデバイス１１４又は各ＲＦ／通信チェーンがサポートすることができる帯域／ＣＣを示すことができ、また同時に、異なるＲＦチェーンが中断８０２及び８０４を伴う妥協案を用いてダウンリンクデータを有することを可能にすることができる。ネットワーク、ネットワークデバイス１０２、又は他のネットワークデバイスは、例えば、ミニギャップパターン及び中断時間を有する測定ギャップ５０４、５０６、５０８、及び５１０の中で、代替のＲＦチェーン１又はＲＦチェーン２（例えば、ＲＦチェーン４０２及びＲＦチェーン４０４）で送信することができる。
ＵＥデバイス１１４は、サービングバンド、又はＣＣ  Ａ（３０２）及びＣＣ  Ｂ（５０２）上で動作するよう構成されてよい。例えば、ＵＥデバイス１１４が、帯域Ｘ（３０４）を測定するのにＲＦチェーン１（４０２）を用いる場合、サービングバンドＡ（３０２）はデータ送信を行わない。しかし、ＵＥデバイス１１４は、ＲＦチューニングの間の中断８０２及び８０４を有する帯域Ｂで、ＲＦチェーン２（４０４）を用いて、ダウンリンクデータをまだ受信することができる。
【００６３】
各測定ギャップ５０４、５０６、５０８、及び５１０において、ＵＥデバイス１１４は、１つの帯域（例えば、Ｘ、Ｙ、Ｚ、又はＬ）を一度に測定することができ、これは、ＵＥデバイス１１４はデータも受信する未使用のＲＦチェーンをまだ１つ有することを意味する。このように、ＵＥデバイス１１４がＣＡを実行している場合には、ネットワークができることは、ＵＥデバイス１１４が有する利用可能又は未使用のＲＦチェーンに対応する帯域、又はそのＲＦチェーンによって扱われ得る帯域で、データを送信することである。測定はデータ送信と同時に起こるので、約１ｍｓの中断があり、これは図９の交差パターンの正方形で示されており、ここでは、ネットワークはデータをダウンリンクすることができない。したがって、測定ギャップパターン９００はミニギャップパターンと呼ばれており、その理由は、ＵＥデバイス１１４がＲＦチェーンにチューニングしているとき、ネットワークｅＮＢ又は他のＮＤがデータを送信又はダウンリンクしているならば、ＵＥデバイス１１４は、データを不通にする中断を他の周波数帯域に対して作成するからである。６ｍｓの遅延時間において、ネットワークは実際に４ｍｓのデータだけを送信することができる。各メッセージギャップでは、その他の図に対しても同じことである。ネットワークは、ＵＥデバイス１１４の未使用のＲＦを用いてデータを送信する。
【００６４】
次に図１０及び図１１を参照すると、例えば、図９のミニギャップ構成又は測定ギャップパターンＩＥ９００を可能にする、ＩＥ１０００及び１１００の追加の規格修正又はデータセットが示されている。例えば、修正は、測定ギャップ構成を可能にするためにＴＳ３６．３３１に提出されてよい。ＣＡ−ｇａｐ０（１００２）のデータスロット又はインジケーションには、ｇａｐＲｅｐｉｔｉｔｉｏｎＰｅｒｉｏｄ（１００４）、ｇａｐＯｆｆｓｅｔ−ｒ１３（１００６）、ｓｅｒｖｉｎｇＢａｎｄ（１００８）、及びブール型ミニギャップ１０１０が含まれる。ミニギャップがｔｒｕｅ又はアクティブに設定されている場合、ネットワークはＵＥ１１４のＲＦチェーンに、例えば、未使用のこれらのＲＦを介してデータを送信し、これらのデータリンク送信の間に、ｔｒｕｅ又はアクティブに設定されなければ、ネットワークはデータ送信を行わず、ＵＥは測定遅延を削減するためにより多くの測定を実行することになる。
【００６５】
図１１は、３ＧＰＰ規格ＴＳ３６．３３１の既存のＩＥを変更するのではなく、ミニギャップ測定パターン用の全く異なるＩＥの代替例を提供する。
【００６６】
本開示内で説明される方法は、一連の動作又はイベントとして本明細書に図示され説明されるが、そのような動作又はイベントの図示された順序は、限定の意味に解釈されるべきではないことが理解されよう。例えば、いくつかの動作は、異なる順序で行われてよく、及び／又は、本明細書で図示及び／又は説明されるもの以外の他の動作又はイベントと同時に行われてよい。さらに、図示された全ての動作が、本明細書の説明の１つ又は複数の態様又は実施形態を実装するのに必要とされなくてよい。さらに、本明細書に示される動作のうちの１つ又は複数は、１つ又は複数の別個の動作及び／又は段階で実行されてもよい。
【００６７】
図１２を参照すると、方法１２００、又は実行に応答して、１つ又は複数のプロセッサを備えるネットワークデバイス又はシステムに当該方法の動作を実行させる実行可能命令を含むコンピュータ可読媒体の例示のプロセスフローが図示されている。
【００６８】
１２０２で、プロセスフローは、ネットワークデバイスの１つ又は複数のプロセッサを介して、測定オブジェクト識別子（ＩＤ）（ｍｅａｓＯｂｊｅｃｔ）及び測定ギャップパターンを識別する段階を含む。測定ギャップパターンは、例えば、無線周波数（ＲＦ）帯域機能（例えば、単一のＲＦチェーン又は複数のＲＦチェーン、及び対応するそれぞれの帯域カバレッジ）に関連したＵＥ機能のインジケーションの識別、あるいはネットワークデバイスの１つ又は複数のプロセッサを介した当該インジケーションの識別に従って、決定されてよい。識別プロセスは、ＭｅａｓＧａｐＣｏｎｆｉｇ  ＩＥ、異なるギャップ繰り返し周期の中でキャリアアグリゲーションの測定ギャップパターンをサポートするギャップ繰り返し周期を選択（ｃｈｏｉｃｅ／ｓｅｌｅｃｔｉｏｎ）するための情報を含むギャップオフセット、ギャップ繰り返し周期、並びに第２のセットの周波数帯域に優先して測定される第１のセットの周波数帯域を示すサポート帯域リストを識別するネットワークデバイスの制御回路コンポーネントを介して、さらに実行されてよい。
【００６９】
１２０４で、プロセスフローは、ネットワークデバイスの１つ又は複数のプロセッサを介して、１つ又は複数の無線リソース制御（ＲＲＣ）信号によるｍｅａｓＯｂｊｅｃｔ及び測定ギャップパターンを送信又は受信する段階を続ける。ネットワークデバイスの送信回路コンポーネントを介して、インジケーションに基づき、１つ又は複数の無線リソース制御（ＲＲＣ）信号による情報要素（ＩＥ）の測定ギャップ構成（ＭｅａｓＧａｐＣｏｎｆｉｇ）を送信又は受信する。
【００７０】
他の実施形態において、プロセスフローは、ネットワークデバイスの制御回路コンポーネントを介して、ＭｅａｓＧａｐＣｏｎｆｉｇ  ＩＥ、ギャップオフセット、ギャップ繰り返し周期、サービングバンド（ｓｅｒｖｉｎｇＢａｎｄ）、及び、ミニギャップ又はミニギャップより大きい測定ギャップのフルギャップが１つ又は複数のダウンリンクデータに基づいているかを識別する段階も含むことができる。
【００７１】
ＵＥ機能、所望の実装、又はリソースの要求に関するインジケーション又は報告に基づいて、プロセスフローは、ネットワーク又はｅＮＢにより構成される異なる測定ギャップパターンの例示の測定ギャップ構成として、パスＡ又はパスＢに従って動作することができる。パスＡは中断を減少させるために継続することができ、パスＢは、より少ない中断時間とデータフローの増加の両方を提供するために継続することができる。オプションパスＡは、１つ又は複数のネットワークデバイスによる、遅延の減少とデータの必要性との間のバランスを取る必要に基づいて、以下に示されるように、さらにパスＣに沿って促進されてよい。全てのオプションパスは、１つのＲＦチェーン又はそれより多いＲＦチェーン、さらにそれぞれが動作時に扱うことが可能な対応する帯域周波数を有するなどのＵＥ機能に従って選択されてもよい。
【００７２】
図１３を参照すると、（例えば、パターン５００のＭｅａｓＧａｐＣｏｎｆｉｇ  ＩＥ６００又は７００による）測定ギャップパターンのプロセスフローＡの選択に従って、図１２のプロセスフロー１２００から継続する例示の測定ギャップパターンのプロセスフロー１３００が示されている。
【００７３】
１３０２で、プロセスフロー１３００は、プロセスフローＡの選択において、第１の無線回路（例えば、ＲＦチェーン１（４２０））コンポーネントを介して、第１の測定ギャップでの第１の帯域測定、及び第２の測定ギャップでの第２の帯域測定を容易にする段階を継続する。
【００７４】
１３０４で、プロセスフロー１３００は、第２の無線回路コンポーネントを介して、第１の測定ギャップでの第３の帯域測定、及び第２の測定ギャップでの第４の帯域測定を容易にする段階を継続する。
【００７５】
プロセスフロー１３００は次に、終了するか、又は図１４での追加のプロセスステップＣをさらに可能にすることができる。１４０２で、プロセスフロー１４００は、第１の無線回路コンポーネント及び第２の無線回路コンポーネント上での第１の測定ギャップと第２の測定ギャップとの間の追加の測定ギャップの間にデータのダウンリンクを可能にするために、インジケーション（例えば、パターン８００のＭｅａｓＧａｐＣｏｎｆｉｇ  ＩＥ６００又は７００）を提供する段階をさらに備えることができる。この場合、ＲＦチェーン１（４０２）（ＲＦ＿１又はＲＦ＿Ｙ）は、図８のＸ（３０４）及びＹ（３０６）のほかにサービングＣＣ  Ａ（３０２）もサポートする。ＲＦチェーン２（４０４）（ＲＦ＿２又はＲＦ＿Ｚ）は、Ｚ（３０８）及びＬ（３１０）のほかにサービングＣＣ  Ｂ（５０２）もサポートする。したがって、ＵＥデバイス１１４は、例えば、ＲＦチェーン１（４０２）及びＲＦチェーン２（４０４）の両方を用いて、第１の測定ギャップスロット５０４において、ＣＣ  Ｘ（３０４）及びＣＣ  Ｚ（３０８）の測定を同時に実行することができる。同様に、ＵＥデバイス１１４は、第３の測定ギャップ時間スロット５０８において、ＣＣ  Ｙ（３０６）及びＣＣ  Ｌ（３１０）の測定も同時に実行することができる。同じ測定性能を用いて、ＵＥデバイス１１４は次に、第２の測定ギャップスロット５０６及び第４の測定ギャップスロット５１０において、ＣＣ  Ａ（３０２）及びＣＣ  Ｂ（５０２）でのデータのダウンリンクを容易にする又は可能にすることができる。ここで、データ内のダウンリンクギャップは、これらの特定のＣＣ又はサービングバンドＡ（３０２）及びサービングバンドＢ（５０２）に必要とされない。図１５は、本明細書の様々な態様又は実施形態によるミニギャップを含む測定ギャップパターンに関して、図１２のパスＡの選択に従った方法１５００を示す。方法１５００は、例えば、パターン９００のＭｅａｓＧａｐＣｏｎｆｉｇ  ＩＥ１０００又は１１００により示され得るミニギャップを有する測定ギャップパターンを表すことができる。
【００７６】
１５０２で、方法１５００は、第１の無線回路コンポーネント（例えば、ＲＦチェーン１（４０２））を介して、第１の測定ギャップでの第１の帯域測定、第２の測定ギャップでの第２の帯域測定、並びに第２の測定ギャップ及び第４の測定ギャップにおける第１のサービングバンドによるデータのダウンリンクを容易にする段階を含む。
【００７７】
１５０４で、方法１５００は、第２の無線回路コンポーネント（例えば、ＲＦチェーン２（４０４））を介して、第１の測定ギャップにおける第２のサービングバンドのデータのダウンリンク、第３の測定ギャップでの第３の帯域測定、及び第４の測定ギャップでの第４の帯域測定を容易にする段階を継続する。
【００７８】
１つの実施形態において、データのダウンリンクは、中断時間のミニギャップパターンを含み得る。ミニギャップパターンとして、データフローを継続させておき、帯域測定を進行中に保つために、１つ又は複数のギャップはデータのダウンリンクの間に許容されてよい。各ミニギャップは、例えば、ＲＦサービングバンド又はチェーンへの移行のために、順番にダウンリンクデータの中断を含んでよい。この場合、ＲＦチェーン１（４０２）（第１の無線回路コンポーネント）は、データリンクなし及び第３の測定ギャップでの測定の中断を用いて動作することができ、ＲＦチェーン２（４０４）（第２の無線回路コンポーネント）は、ＤＬデータ及び第２の測定ギャップでの測定に同じ中断を用いて動作することができる。２つのＲＦチェーンの間のシーケンスは繰り返され得る。
【００７９】
図１６を参照すると、ＵＥにおいて構成されるべき測定ギャップパターン（上記に開示された測定ギャップパターン又は他の測定ギャップパターン）用の測定ギャップ構成を、ネットワークデバイス（例えば、ｅＮＢ、マクロセル、スモールセルなど）によって構成及び再構成するためのシグナリングフローのさらなる例が示されている。測定ギャップ及び様々な測定ギャップパターンを構成するプロセスは、異なるＣＣ又はＵＥ機能に基づいてよく、ＵＥからのフィードバックを含む。例えば、フロー図１６００は、ｅＮＢ１６０１からＵＥ１６０３に（例えば、図１のｅＮＢ１０２からＵＥ１１４に）シグナリングする測定ギャップ構成を示す。ＵＥ１６０３にシグナリング（１６０２）する測定ギャップ構成は、本明細書で詳細に説明されるように、測定ギャップパターンの１つ又は複数のインジケーション又はパラメータを含むことができる。
【００８０】
この事例では、ｅＮＢ１６０１がＵＥ機能（例えば、ＲＦ回路（ＲＦ通信チェーン）の量又は数、特定のカバレッジ帯域機能、ＵＥ１６０３が扱うＣＣの組み合わせ、あるいは周波数範囲内又は１つのＣＣより広い帯域幅内のＣＣの組み合わせ、あるいは他の通信関連パラメータ／機能）を認識していない場合、ｅＮＢ１６０１は、１つの帯域の測定ギャップ構成に、図３の測定ギャップパターン３００、又は、例えば本明細書で論じられる他の図を参照して説明される別の測定ギャップパターン、例えば、ミニギャップ（ネットワーク制御スモールギャップ（ＮＣＳＧ））、より長いギャップ、ギャップなし、又は他の関連パラメータ（例えば、本明細書で論じられるフィールドの説明）を有する測定ギャップパターン５００、８００、９００などを提供することができる。
【００８１】
ＵＥ１６０３はさらに、測定ギャップパターンのパラメータ（例えば、ギャップオフセット（ｇａｐＯｆｆｓｅｔ／ｇａｐＯｆｆｓｅｔ−ｒ１３）又はそれ以降、オフセット量、継続時間／測定ギャップ繰り返し周期（ｇａｐＲｅｐｅｔｉｔｉｏｎＰｅｒｉｏｄ）、帯域リスト（ｂａｎｄＭｅａｓｕｒｅｍｅｎｔＬｉｓｔ）／ＣＣリスト、サービングバンド／ＣＣ（ｓｅｒｖｉｎｇＢａｎｄ）、ミニギャップ／標準又はより大きいギャップからのより小さいギャップ（例えば、ネットワーク制御スモールギャップ）、又は本明細書で論じられる他の測定ギャップパターンのパラメータ）を有する測定ギャップ構成の受信に応答して、ｅＮＢ１６０１に応答する１６０４で通信することができる。通信シグナリング１６０４は、サポートＣＣデータセット又はサポート測定帯域リストと呼ばれることがあり、ここで、本明細書で論じられるパラメータのいずれかが、１６０２で測定ギャップパターンの測定ギャップ構成を受信する前、受信した後、又は受信前後の両方において、シグナリング応答１６０４でのサポートＣＣデータセット内、又はｅＮＢ１６０１への他のフィードバック応答内の要求によって、選択され、示され、又は変更されてよい。
【００８２】
例えば１つの例において、ＵＥ１６０３は、ＵＥ１６０３に対応するｅＮＢ１６０１が、隣接帯域、ＤＬデータ帯域、サービングバンドとして、コンポーネントキャリアを測定する測定ギャップパターンの構成／再構成を決定するために、又は他の用途に対して１つ又は複数の測定レポートを生成するために、１６０４で、サポートＣＣデータセットの一部としてＵＥ機能をｅＮＢ１６０１に提供することができる。次にパラメータ及び構成データは、１６０２で伝達されてよく、又は測定ギャップパターンを変更するために異なるデータを用いて１６０６で再伝達されてよい。
【００８３】
いくつかの例において、ＵＥ１６０３は、効率と受信される連続データとの間のトレードオフを決定してよく、このトレードオフは、ＵＥ機能、及び所与の時間におけるＵＥのリソースの使い方に応じて変わる可能性がある。このように、より大きなデータダウンリンクは、ＵＥ１６０３で処理される所与のアプリケーション又はリソースの閾値リソース値に基づくのが望ましい可能性があり、この場合、１つのタイプの測定ギャップパターンが別のものより好ましい可能性があり、異なるＣＣが利用される可能性があり、異なるパラメータがＵＥの機能、あるいは本明細書で論じられる元の測定ギャップパターン又は関連パラメータに対する他の変更又はプリファレンスに基づく可能性がある。例えば、ミニギャップの測定ギャップパターンは、より大きいダウンリンクを保証するために、またＵＥのＲＦチェーン及び異なるＣＣを介したそれぞれのカバレッジ機能に従って扱われることが可能なＣＣに基づいて、ｅＮＢに要求される可能性がある。代替的に又は追加的に、測定ギャップは、特定のＣＣでのデータの連続ダウンリンク、あるいはＣＣの特定の組み合わせを扱う１つ又は複数のＲＦチェーンを求める要求に応じて、ＵＥ１６０３により示されなくても、要求されなくてもよい。測定ギャップパターンの任意の他の組み合わせが、本明細書でも論じられるようなＵＥ機能及びアーキテクチャに従って、実装され、促進され、再構成され得る。
【００８４】
他の実施形態において、いくつかのＵＥ（例えば、１６０３）は、同時ダウンリンク受信をサポートするデュアルＲＦチェーン（例えば、４０２、４０４）、１つのＲＦチェーン４０２、又は異なるＵＥ（例えば、１１２及び１６０３）の間での個々のチェーン間の異なるＣＣカバレッジを有するなどの、１つ又は複数のＲＦチェーンを有してよく、これは、１６０４で、ＵＥ機能によりＣＣデータセットに示されてよい。したがって、ＵＥ機能は、測定ギャップパターン、及びＲＦチェーンごとの測定ギャップパターンに関連した対応するパラメータ又はインジケーションの再構成を受信するために、ＣＣデータセットを有する通信シグナリング１６０４で、ｅＮＢ１６０３又は他のＮＤにも報告されてよい。結果として、ＵＥ１６０３は、ＵＥ１６０３の特定のＲＦチェーン（例えば、４０２又は４０４）用の特定の測定ギャップパターンのために、測定ギャップを要求しなくてよく、頻度がより少ない測定ギャップパターンを用いなくてもよい。
【００８５】
別の実施形態において、例えば、ｅＮＢ１６０６は、測定グループパターン又は測定ギャップをいくつかのＣＣに対し他のＣＣに優先して動的に再構成するよう動作することができ、また対応される特定のＣＣ、ＵＥ１６０３の機能、又はＵＥからのその他のフィードバックに基づいて、測定ギャップを異なるように動的に再構成するよう動作することができる。このように、測定ギャップ構成データを介した測定ギャップパターン及び関連パラメータの再構成又は生成が、サービス又はサービングセルに対する中断を最小化するために、本明細書に示され説明されている。
【００８６】
さらに、ＵＥ１６０３がＤＬ信号により監視するサブフレームの数、又はＵＬ信号を介して通信するサブフレームの数も減少させることができる。例えば、ミニギャップ（ＮＣＳＧ）又は測定ギャップ継続時間、及びＵＥ１６０３において測定ギャップパターンを実装するための他のパラメータは、例えば、ｅＮＢ１６０１とＵＥ１６０３との間の相互通信を介して動的に構成又は再構成されてよい。
【００８７】
別の態様において、ネットワーク又はネットワークコンポーネント（例えば、ｅＮＢ１０２を介する）は、既存の測定ギャップをＵＥに対して構成することができる。１つ又は複数の異なる帯域又はＣＣのカバレッジを有し、同時ダウンリンク受信をサポートすることができる１つより多いＲＦチェーンをＵＥ１６０３が有する場合、ＵＥは、サポート応答又はサポートＣＣ／帯域データセット（例えば、リスト、表、又はデータの他のセット）などの通信において、１６０４でこのように提供することができる。ＵＥ１６０３は、そのアーキテクチャの一部として、各ＲＦチェーン／通信チェーンの特定の測定ギャップパターンあるいは対応するパラメータ又は機能をｅＮＢ１０２に伝達することができる。結果として、例えばＵＥ１６０３は、必ずしも１つの測定ギャップパターン又は構成を別のものに優先して要求することはなく、特定のＲＦチェーン４０２に、４０４と比較して頻度がより少ない又はより多い測定ギャップパターンを用いることはなく、あるいは別のチェーン又はＲＦチェーンのセットに異なるものを用いることはない。ＵＥ１６０３は、さらなるネットワーク運用のために、例えばＣＣ単位で、特定のＣＣの測定要件をまだ満たすことができてよい。
【００８８】
図１７〜図２０を参照すると、サポート応答又はサポートＣＣデータセットの異なる実施形態が示されている。いくつかの例において、単一のＲｘチェーンを用いて測定ギャップの拡張を導入することが有益であり実現可能であり得る。これには、限定されないが、ＵＥのスケジューリング機会の拡大、又はＵＥの電力消費の減少が含まれる。同期のみの動作では、測定ギャップ長（ＭＧＬ）を減少させた１つ又は複数の測定ギャップパターンに対応する測定ギャップ構成が、実現可能であり有益であり得る。さらに、様々な測定ギャップ又は特定の測定ギャップパターンに対して、コンポーネントキャリア単位で測定ギャップパターン構成／再構成を可能にすることにより、様々な利点が提供される。
【００８９】
ＣＣ単位ベースの測定ギャップ構成（ＭＧＲＰ）において、ＭＧＲＰはＣＣごとに独立に構成され得る。これには、測定ギャップがいくつかのＣＣに構成されるが、他のＣＣには構成されないという場合が含まれる。例えば、ＣＣごとの測定ギャップ構成が、ＰＣｅｌｌ／ＳＣｅｌｌ／ＰＳＣｅｌｌの中断に起因したＡｃｋ／Ｎａｃｋの喪失レートを減少させるよう構成される場合、ミニギャップ又はＮＣＳＧはＭＧＲＰに導入されてよく、又は選択されてよい。
【００９０】
例えば、図１７は、図１６の通信１６０４の一部としてｅＮＢ１１４に伝達され得るＣＣデータセット１７００を示す。ＣＣデータセットは、本明細書で論じられるように、３２までの数に達する又は増加することができる様々な帯域又はＣＣを示す。各ＣＣはＵＥ機能とともに示されてよい（例えば、所与の帯域がサポートされているか、またＵＥの特定のＲＦ（通信）チェーンによってどの程度までサポートされているか、あるいは他の機能、パラメータ、測定ギャップパターンに関連した説明フィールドの選択、又は他のＵＥフィードバック）。各ＣＣは、測定ギャップが本当に必要とされているか、又は要求されているかに関するインジケーションに対応していてよい。いくつかの例において、ギャップ継続時間又はギャップ周期を作動させる必要なく、データの連続したダウンロード又はダウンリンクが望まれてよく、又は可能であってよい。他に例において、特定のＣＣがサポートされなくてよく、あるいは共に動作する１つ又は複数のＲＦチェーンによって十分に扱われなくてもよい。
【００９１】
ＣＣデータセットの受信に応答して、ｅＮＢ（例えば、１６０１）は、特定のＣＣが測定ギャップとともに構成されているかどうかなど、特定の測定ギャッププログラムに関連付けられた測定ギャップパターン構成又はパラメータの再構成を信号で送ることで応答することができる。例えば、ギャップは、ＣＣ１、ＣＣ３、又は別のＣＣｉ（ｉは正の整数）などの特定のＣＣに生成又は提供されてよいが、ＣＣ２、ＣＣ３２、又は特定のインデックスの別のＣＣなどの他のＣＣは、測定ギャップが要求されない、望まれない、又は選択されないことを示してよい。それに応じて、ｅＮＢ１６０１は、測定ギャップを必要としないＣＣにおいてデータの連続したダウンロードを可能にし得るが、その理由は、ＵＥ１６０３が、ＵＥ機能又は通信チェーンを用いて、これらのチャネル又はＣＣを適切に測定することができ、これらのＣＣが測定ギャップを利用しないことを別の再構成１６０４が伝達されるまで、測定ギャップ又は特定の継続時間の必要性はないことが理解されるからである。
【００９２】
次に図１８を参照すると、説明される様々な態様又は実施形態によるＣＣデータセット１８００の別の例が示されている。具体的には、ＵＥ１６０３がＵＥ機能の一部としてキャリアアグリゲーション機能を用いて構成されている、又は同時ダウンリンク受信ができる１つ又は複数のＲＦチェーンを含む場合、各ＲＦ通信チェーンにおいて、異なる測定ギャップ構成が実装されてよく、又は測定ギャップが実装されなくてもよい。これには例えば、各ＲＦチェーンに対応するＣＣごとに、異なる種類のギャップ、ギャップ周期、ギャップオフセット又はギャップ継続時間が含まれてよい。
【００９３】
ＣＣデータセット１８００には、ＵＥ機能、並びに特定のタイプのギャップ又は測定ギャップ継続時間のインジケーションに対応する特定のＣＣ帯域が含まれてよい。例えば、ロングギャップ、ショートギャップ、又はギャップなしが、異なるＣＣに対応するように示されてよい。例えば、より長いギャップは、ミニギャップより継続時間が長い、あるいは、３ＧＰＰ規格又は他の指定されたギャップ継続時間又はギャップ長より継続時間が長いギャップであってよい。例えば、ＣＣデータセット１８００は、ＣＣ１又は別のＣＣｉがロングギャップを有すことができることを示す。ＣＣ２及びＣＣ３２などの他のＣＣは、測定ギャップが要求されていないことを示すことができ、ＣＣ３の場合には、ショート（ミニ）ギャップが、例えば、この特定のＣＣに対する測定に要求されてよい。それに応じて、ｅＮＢ１６０１は、ＵＥ機能の一部としてＣＣ及び対応するＲＦチェーンごとに、異なる測定ギャップパターンのために、再構成１６０６において異なる測定ギャップ構成を可能にし得る。
【００９４】
図１９を参照すると、説明される様々な態様又は実施形態によるＣＣデータセット１９００の別の例が示されている。ＵＥ１６０３がＵＥ機能の一部としてキャリアアグリゲーション機能を用いて構成されている、又は同時ダウンリンク受信ができる１つ又は複数のＲＦチェーンを含む場合、各ＲＦ通信チェーン（例えば、４０２又は４０４）において、各ＲＦ通信チェーンでの特定の１つ又は複数のＣＣに従って、異なる測定ギャップ構成が実装されてよく、又は測定ギャップが実装されなくてもよい。これは、例えば、異なる種類のギャップ、ギャップ周期、各ＲＦチェーンに対応するＣＣごとのギャップオフセット又はギャップ継続時間、並びに各ＲＦチェーン又は対応する動作帯域に関連付けられた異なる測定ギャップパターンを含むことができる。ＣＣデータセット１９００は、ＵＥ機能、並びに測定ギャップパターン３００、５００、８００、９００に関連付けられた測定ギャップパターン、あるいはそれぞれの測定ギャップ構成、対応する情報要素、又は関連パラメータとともに本明細書で論じられる他の類似のパターンなど、特定のタイプの測定ギャップパターンのインジケーションに対応する特定のＣＣ帯域を含むことができる。
【００９５】
さらに、ＣＣの様々な組み合わせも、特定の測定ギャップパターンのために、他より優先して示されてよい。例えば、ＣＣ１及びＣＣｉなどの様々なＣＣが、同じ測定ギャップパターンを用いて指定されてよく、同じ周波数範囲内の帯域又はＣＣを扱う特定のＲＦチェーン（例えば、４０２又は他の機器）などの特定のＵＥ機能と併せて利用されてよい。例えば、他のＣＣは、特定の測定ギャップパターンＹを有するＣＣ２、及び別の異なる測定ギャップパターンＺを有するＣＣ３などを有する他の測定ギャップパターンを用いて指定されてよく、これらはまた、ＲＦチェーン４０２、４０４、又は他のチェーンの様々なＵＥ機能、あるいはＵＥ１６０３又は他のＵＥの処理コンポーネントに対応してもしなくてもよい。さらに、ＣＣ３２は、測定ギャップもパターンも示さなくてよい。
【００９６】
図２０を参照すると、説明される様々な態様又は実施形態によるＣＣデータセット２０００の別の例が示されている。説明される他のＣＣデータセットと類似したこの例において、測定ギャップパターンの構成パラメータ、又は測定ギャップパターン全体を、特定のＲＦチェーンに対応する各ＵＥに構成又は再構成するために、ＣＣは、ＵＥ１６０３によってｅＮＢ１６０１に示されてよい。さらに、ＣＣの特定のグループが、特定のＣＣのグループ、及び特定の測定ギャップパターン／構成に関連付けるために、ＣＣデータセット２０００にさらに示されてよく、又は全く何も示されなくてもよい。例えば、ＣＣグループ１は、特定の測定ギャップパターンの特定の測定ギャップ構成に最適である又は適しているとして選択される、又はｅＮＢ１６０１に示されるＣＣ１、ＣＣ２、及びＣＣ３を有するＣＣを含むことができ、他のグループのＣＣ（例えば、ＣＣグループＭ）は、ＣＣｉなどの他のＣＣに関連付けられてよい。ＣＣ３２などの他のＣＣは、提供されるギャップなしに対応するよう構成されてよい。したがって、ＵＥ１６０３又は他のＵＥがキャリアアグリゲーション機能を用いて構成される場合、ＵＥ１６０３は、要求されたギャップ構成又は再構成の観点から、ネットワークのＣＣグループに対応するＣＣデータセット又はインジケーションを送信又は作成することができる。各ＣＣグループは、帯域ベース単位として示されてよく、ここで、特定のＣＣグループを定義するための他の基準又はルールは排除されない。
【００９７】
図２１を参照すると、本明細書で説明される様々な態様又は実施形態に従って、ＣＣごとに又はＣＣ単位で測定ギャップパターンの測定ギャップ構成を信号で送るための方法が示されている。例えば、方法２１００又は本明細書の任意の方法は、実行に応答して、ネットワークデバイス（例えば、ｅＮＢ又はＵＥ）のプロセッサに動作を実行させる実行可能命令として実装され得る。動作は、ネットワークデバイスの１つ又は複数のプロセッサを介して、異なるコンポーネントキャリア（ＣＣ）に基づいて異なるＵＥ機能を有する１つ又は複数の異なる通信チェーンに対応する測定ギャップパターンのインジケーションを生成する２１０２で開始することができる。
【００９８】
２１０４で、動作はさらに、構成又は再構成などのために、測定ギャップパターンのインジケーションを伝達する段階を備えることができる。
【００９９】
本方法はさらに、異なるＣＣに対応する異なるギャップ繰り返し周期を選択するための情報を含むギャップオフセットと、１つ又は複数の異なる通信チェーンのうちの第１の通信チェーンによって測定されるべき第１のセットのＣＣ、及び１つ又は複数の異なる通信チェーンのうちの第２の通信チェーンによって測定されるべき第２のセットのＣＣを含むサポートＣＣデータセットとのうちの少なくとも１つを識別する段階を含むことができる。インジケーションは、例えば、ミニギャップ又はミニギャップより大きいフルギャップが、ＵＥの第１の通信チェーン及び第２の通信チェーンによってダウンリンク送信に用いられるかというインジケーションを有する、ＣＣデータセット又はサポート測定帯域リストのいずれかを含むことができる。
【０１００】
本方法は、サポートＣＣデータセットに基づいて、測定ギャップパターンの再構成のための応答を処理又は生成する段階を含むことができ、サポートＣＣデータセットは、ＵＥ機能に基づく、異なるＣＣと１つ又は複数の異なる通信チェーンとの第１の相関、及び異なる測定ギャップパターンと異なるＣＣとの第２の相関を含むことができる。
【０１０１】
ＣＣデータセット又はＵＥフィードバックに応答して、構成データ又は他のシグナリングは、１つ又は複数の無線リソース制御（ＲＲＣ）信号を介した測定ギャップパターンの送信に応答して、ＵＥからの通信内のＵＥ機能及びサポートＣＣデータセットに基づいて、測定ギャップパターンの変更又は修正を実施するために提供されてよい。
【０１０２】
図２２は、本明細書に開示される様々な態様による電子デバイス２２００を示す。電子（ネットワーク）デバイス２２００は、ｅＮＢ（例えば、１０２）、ＵＥ（例えば、１１４）、あるいは様々な実施形態による他の何らかのタイプの電子デバイス又はネットワークデバイスに組み込まれてよく、又はそうでなければその一部であってよい。具体的には、電子デバイス２２００は、ハードウェア、ソフトウェア、又はファームウェアのうちの１つ又は複数に、少なくとも部分的に実装され得るロジック又は回路であってよい。実施形態において、電子デバイス２２００のロジックは、制御ロジックコンポーネント２２０４に結合された、無線送信ロジックコンポーネント２２０２及び受信ロジックコンポーネント２２０６を含むことができる。実施形態において、送信ロジックコンポーネント及び受信ロジックコンポーネントは、示されるように、送受信機、送信機、又は受信機チェーンの要素又はモジュールであってよい。電子デバイス２２０２は、１つ又は複数のアンテナの複数のアンテナ素子２２０８のうちの１つ又は複数に結合されてよく、又はそれらを含んでもよい。電子デバイス及び／又は電子デバイスのコンポーネントは、本開示の他の箇所で説明された動作と類似した動作を実行するよう構成されてよい。
【０１０３】
実施形態において、電子デバイス回路はネットワークエンティティであるか、又はネットワークエンティティに組み込まれるか、そうでなければネットワークエンティティの一部であり、制御回路コンポーネント２２０４は、測定オブジェクト識別子（ＩＤ）（ｍｅａｓＯｂｊｅｃｔ）及び測定ギャップパターンを識別するよう構成されてよい。送信回路コンポーネント２２０２は、ｍｅａｓＯｂｊｅｃｔ及び測定ギャップパターンのインジケーションをユーザ機器（ＵＥ）に、１つ又は複数の無線リソース制御（ＲＲＣ）信号を介して送信するよう構成されてよい。さらに、受信回路コンポーネント２２０６（例えば、ＲＦチェーン１（４０２）及びＲＦチェーン２（４０４））は、１つ又は複数の無線リソース制御（ＲＲＣ）信号を介して、キャリアアグリゲーションを用いて複数の測定ギャップの間で測定を制御するＭｅａｓＧａｐＣｏｎｆｉｇ情報要素（ＩＥ）の測定ギャップ構成（ＭｅａｓＧａｐＣｏｎｆｉｇ）を受信するよう構成されてよい。
【０１０４】
本明細書で用いられるとき、「ロジック」という用語は、特定用途向け集積回路（ＡＳＩＣ）、電子回路、１つ又は複数のソフトウェア又はファームウェアプログラムを実行するプロセッサ（共有、専用、又はグループ）及び／又は、メモリ（共有、専用、又はグループ）、組み合わせ論理回路、及び／又は、説明された機能を提供する他の好適なハードウェアコンポーネントを指してよく、それらの一部であってよく、あるいはそれらを含んでよい。具体的には、ロジックは、ハードウェア、ソフトウェア、及び／又はファームウェアで少なくとも部分的に実装されてよく、又はそれらの要素であってもよい。いくつかの実施形態において、電子デバイスロジックは、ロジックで実装されてよく、又はロジックに関連付けられた機能であってもよく、１つ又は複数のソフトウェア又はファームウェアモジュールによって実装されてもよい。
【０１０５】
本明細書で説明される実施形態は、適切に構成された任意のハードウェア及び／又はソフトウェアを用いて、システムに実装されてよい。図２３は、１つの実施形態に関して、無線周波数（ＲＦ）ロジック２３０２、ベースバンドロジック２３０４、アプリケーションロジック２３０６、メモリ／ストレージ２３０８、ディスプレイ２３１０、カメラ２３１２、センサ２３１４、及び入出力（Ｉ／Ｏ）インタフェース２３１６を備え、これらが少なくとも示されるように互いに結合された、例示のシステムを示している。
【０１０６】
アプリケーションロジック２３０６には、１つ又は複数のシングルコアプロセッサ又はマルチコアプロセッサが含まれてよい。プロセッサは、汎用プロセッサ及び専用プロセッサ（例えば、グラフィックスプロセッサ、アプリケーションプロセッサなど）の任意の組み合わせを含むことができる。プロセッサは、メモリ／ストレージに結合されてよく、またメモリ／ストレージに格納された、様々なアプリケーション及び／又はオペレーティングシステムがシステム上で動作することを可能にする命令を実行するよう構成されてよい。
【０１０７】
ベースバンドロジック２３０４は、１つ又は複数のシングルコアプロセッサ又はマルチコアプロセッサを含むことができる。プロセッサには、ベースバンドプロセッサ２３１８、及び／又は、追加又は代替のプロセッサ２３２０が含まれてよく、追加又は代替のプロセッサ２３２０は、本明細書の他の箇所で説明される制御ロジック、送信ロジック、及び／又は受信ロジックの機能又は動作を実装するよう設計されてよい。ベースバンドロジック２３０４は、ＲＦロジックを介して１つ又は複数の無線ネットワークとの通信を可能にする様々な無線制御機能を用いることができる。無線制御機能には、限定されないが、信号変調、エンコード、デコード、無線周波数偏移などが含まれてよい。いくつかの実施形態において、ベースバンドロジックは、１つ又は複数の無線技術と互換性のある通信を提供することができる。例えば、いくつかの実施形態において、ベースバンドロジック２３０４は、進化型ユニバーサル地上波無線アクセスネットワーク（ＥＵＴＲＡＮ）及び／又は他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートすることができる。ベースバンドロジック２３０４が１つより多い無線プロトコルの無線通信をサポートするよう構成される実施形態は、マルチモードベースバンドロジックと呼ばれることがある。
【０１０８】
様々な実施形態において、ベースバンドロジック２３０４は、ベースバンド周波数にあると厳密にはみなされない信号で動作するロジックを含むことができる。例えば、いくつかの実施形態において、ベースバンドロジック２３０４は、ベースバンド周波数と無線周波数との間にある中間周波数を有する信号で動作するロジックを含むことができる。
【０１０９】
ＲＦロジック２３０２は、非固体媒体による変調電磁放射を用いて、無線ネットワークとの通信を可能にし得る。様々な実施形態において、ＲＦロジック２３０２は、無線ネットワークとの通信を容易にするために、スイッチ、フィルタ、増幅器などを含むことができる。
【０１１０】
様々な実施形態において、ＲＦロジック２３０２は、無線周波数にあると厳密にはみなされない信号で動作するロジックを含むことができる。例えば、いくつかの実施形態において、ＲＦロジックは、ベースバンド周波数と無線周波数との間にある中間周波数を有する信号で動作するロジックを含むことができる。
【０１１１】
様々な実施形態において、本明細書で論じられる又は説明される送信ロジック、制御ロジック、及び／又は受信ロジックは、ＲＦロジック２３０２、ベースバンドロジック２３０４、及び／又はアプリケーションロジック２３０６のうちの１つ又は複数において、全体的に又は部分的に具現化されてよい。本明細書で用いられるとき、「ロジック」という用語は、特定用途向け集積回路（ＡＳＩＣ）、電子回路、１つ又は複数のソフトウェア又はファームウェアプログラムを実行するプロセッサ（共有、専用、又はグループ）及び／又は、メモリ（共有、専用、又はグループ）、組み合わせ論理回路、及び／又は、説明された機能を提供する他の好適なハードウェアコンポーネントを指してよく、それらの一部であってよく、あるいはそれらを含んでよい。具体的には、ロジックは、ハードウェア、ソフトウェア、及び／又はファームウェアで少なくとも部分的に実装されてよく、又はそれらの要素であってもよい。いくつかの実施形態において、電子デバイスロジックは、ロジックで実装されてよく、又はロジックに関連付けられた機能であってもよく、１つ又は複数のソフトウェア又はファームウェアモジュールによって実装されてもよい。
【０１１２】
いくつかの実施形態において、ベースバンドロジック、アプリケーションロジック、及び／又はメモリ／ストレージの構成要素のいくつか又は全ては、システムオンチップ（ＳｏＣ）上に共に実装されてよい。
【０１１３】
メモリ／ストレージ２３０８は、例えば、システム用のデータ及び／又は命令の読み込み及び格納に用いられてよい。１つの実施形態のメモリ／ストレージ２３０８は、適切な揮発性メモリ（例えば、ダイナミックランダムアクセスメモリ（ＤＲＡＭ）及び／又は不揮発性メモリ（例えば、フラッシュメモリ）の任意の組み合わせを含むことができる。さらに、メモリ２３０８は、本明細書中の機械（例えば、コンピュータ）又はコンポーネントによって実行されると、本明細書で説明される実施形態及び例による複数の通信技術を用いて、同時通信のための方法あるいは装置又はシステムに関する動作を機械に実行させる命令を含んだ、１つ又は複数の機械可読媒体を含むことができる。本明細書で説明される態様は、ハードウェア、ソフトウェア、ファームウェア、又はこれらの任意の組み合わせによって実装され得ることを理解されたい。ソフトウェアで実装される場合、機能は、コンピュータ可読媒体（例えば、本明細書で説明されるメモリ又は他のストレージデバイス）に１つ又は複数の命令又はコードとして格納されてよく、又は送信されてもよい。コンピュータ可読媒体には、コンピュータ記憶媒体と、ある場所から別の場所へのコンピュータプログラムの転送を容易にする任意の媒体を含んだ通信媒体との両方が含まれる。記憶媒体又はコンピュータ可読ストレージデバイスは、汎用コンピュータ又は専用コンピュータによってアクセスされ得る任意の利用可能な媒体であってよい。例として、限定されないが、そのようなコンピュータ可読媒体は、ＲＡＭ、ＲＯＭ、ＥＥＰＲＯＭ、ＣＤ−ＲＯＭ又は他の光ディスクストレージ、磁気ディスクストレージ又は他の磁気ストレージデバイス、又は他の有形媒体及び／又は非一時的媒体を含むことができ、これらは、所望の情報又は実行可能命令を記憶する又は格納するのに用いられ得る。また、当然のことながら任意の接続もコンピュータ可読媒体と呼ばれる。
【０１１４】
様々な実施形態において、Ｉ／Ｏインタフェース２３１６は、システムとユーザの対話を可能にするよう設計された１つ又は複数のユーザインタフェース、及び／又は、システムと周辺構成要素の対話を可能にするよう設計された周辺構成要素インタフェースを含むことができる。ユーザインタフェースには、限定されないが、物理キーボード又はキーパッド、タッチパッド、スピーカ、マイクなどが含まれてよい。周辺構成要素インタフェースには、限定されないが、不揮発性メモリポート、ユニバーサルシリアルバス（ＵＳＢ）ポート、オーディオジャック、及び給電インタフェースが含まれてよい。
【０１１５】
様々な実施形態において、センサ２３１４は、システムの関連した環境条件及び／又は位置情報を決定する１つ又は複数の検出デバイスを含むことができる。いくつかの実施形態において、センサには、限定されないが、ジャイロセンサ、加速度計、近接センサ、環境光センサ、及び測位ユニットが含まれてよい。測位ユニットは、測位ネットワークのコンポーネント、例えば、全地球測位システム（ＧＰＳ）衛星と通信するベースバンドロジック及び／又はＲＦロジックの一部であってもよく、又はこれらのロジックと対話形式でやり取りしてもよい。
【０１１６】
様々な実施形態において、ディスプレイ２３１０は、ディスプレイ（例えば、液晶ディスプレイ、タッチスクリーンディスプレイなど）を含むことができる。
【０１１７】
様々な実施形態において、システムは、限定されないが、ラップトップコンピューティングデバイス、タブレットコンピューティングデバイス、ネットブック、ウルトラブック、スマートフォンなどのモバイルコンピューティングデバイスであってよい。様々な実施形態において、システムは、より多くの又はより少ないコンポ―ネント、及び／又は異なるアーキテクチャを有することができる。
【０１１８】
本明細書で説明される実施形態は、適切に構成された任意のハードウェア及び／又はソフトウェアを用いて、システムに実装されてよい。図２４は、１つの実施形態に関して、基地局、マクロセルネットワークデバイス、セカンダリセルネットワークデバイス、スモールセルネットワークデバイス、進化型／発展型ＮｏｄｅＢ（ｅＮＢ）、又は任意の他のネットワークデバイス（例えば、ユーザ機器、ピコセル、フェムトセルなど）などのセルネットワークデバイス２４００の例示のコンポーネントを示している。いくつかの実施形態において、セルネットワークデバイス２４００には、アプリケーション回路２４０２、ベースバンド回路２４０４、無線周波数（ＲＦ）回路２４０６、フロントエンドモジュール（ＦＥＭ）回路２４０８、及び１つ又は複数のアンテナ２４１０が含まれてよく、これらは少なくとも示されるように共に結合される。
【０１１９】
アプリケーション回路２４０２は、１つ又は複数のアプリケーションプロセッサを含むことができる。例えば、アプリケーション回路２４０２は、限定されないが、１つ又は複数のシングルコアプロセッサ又はマルチコアプロセッサなどの回路を含むことができる。プロセッサは、汎用プロセッサ及び専用プロセッサ（例えば、グラフィックスプロセッサ、アプリケーションプロセッサなど）の任意の組み合わせを含むことができる。プロセッサは、メモリ／ストレージに結合されてよく、及び／又はメモリ／ストレージを含んでもよく、またメモリ／ストレージに格納された、様々なアプリケーション及び／又はオペレーティングシステムがシステム上で動作することを可能にする命令を実行するよう構成されてもよい。
【０１２０】
ベースバンド回路２４０４は、限定されないが、１つ又は複数のシングルコアプロセッサ又はマルチコアプロセッサなどの回路を含むことができる。ベースバンド回路２４０４は、ＲＦ回路２４０６の信号受信経路から受信したベースバンド信号を処理して、ＲＦ回路２４０６の信号送信経路用のベースバンド信号を生成する、１つ又は複数のベースバンドプロセッサ及び／又は制御ロジックを含むことができる。ベースバンド処理回路２４０４は、ベースバンド信号の生成及び処理のために、及びＲＦ回路２４０６の動作を制御するために、アプリケーション回路２４０２とインタフェースすることができる。例えば、いくつかの実施形態において、ベースバンド回路２４０４は、第２世代（２Ｇ）のベースバンドプロセッサ２４０４ａ、第３世代（３Ｇ）のベースバンドプロセッサ２４０４ｂ、第４世代（４Ｇ）のベースバンドプロセッサ２４０４ｃ、及び／又は他の既存の世代、開発中又は今後開発される予定の世代（例えば、第５世代（５Ｇ）、６Ｇなど）用の他のベースバンドプロセッサ２４０４ｄを含むことができる。ベースバンド回路２４０４（例えば、ベースバンドプロセッサ２４０４ａ〜ｄのうちの１つ又は複数）は、ＲＦ回路２４０６を介して１つ又は複数の無線ネットワークとの通信を可能にする様々な無線制御機能を用いることができる。無線制御機能には、限定されないが、信号変調／復調、エンコード／デコード、無線周波数偏移などが含まれてよい。いくつかの実施形態において、ベースバンド回路２４０４の変調／復調回路は、高速フーリエ変換（ＦＦＴ）、プリコーディング、及び／又はコンステレーションマッピング／デマッピングの機能を含むことができる。いくつかの実施形態において、ベースバンド回路２４０４のエンコード／デコード回路は、畳み込み、テールバイティング畳み込み、ターボ、ビタビ、及び／又は低密度パリティ検査（ＬＤＰＣ）エンコーダ／デコーダの機能を含むことができる。変調／復調機能及びエンコーダ／デコーダ機能の実施形態は、これらの例に限定されず、他の実施形態において好適な他の機能を含むことができる。
【０１２１】
いくつかの実施形態において、ベースバンド回路２４０４は、例えば、物理層（ＰＨＹ）プロトコル、媒体アクセス制御（ＭＡＣ）プロトコル、無線リンク制御（ＲＬＣ）プロトコル、パケットデータコンバージェンスプロトコル（ＰＤＣＰ）、及び／又は無線リソース制御（ＲＲＣ）要素を含む、例えば、進化型ユニバーサル地上波無線アクセスネットワーク（ＥＵＴＲＡＮ）プロトコルの要素などのプロトコルスタックの要素を含むことができる。ベースバンド回路２４０４の中央処理装置（ＣＰＵ）２４０４ｅは、ＰＨＹ層、ＭＡＣ層、ＲＬＣ層、ＰＤＣＰ層、及び／又はＲＲＣ層のシグナリングのために、プロトコルスタックの要素を動作させるよう構成されてよい。いくつかの実施形態において、ベースバンド回路は、１つ又は複数のオーディオデジタル信号プロセッサ（ＤＳＰ）２４０４ｆを含むことができる。オーディオＤＳＰ２４０４ｆは、圧縮／解凍及びエコー除去の要素を含むことができ、また他の実施形態において他の好適な処理要素を含むことができる。ベースバンド回路のコンポーネントは、単一のチップ、単一のチップセットに適切に組み合わされてよく、又はいくつかの実施形態において同じ回路基板に配置されてもよい。いくつかの実施形態において、ベースバンド回路２４０４及びアプリケーション回路２４０２の構成要素のいくつか又は全ては、例えばシステムオンチップ（ＳｏＣ）などに共に実装されてよい。
【０１２２】
いくつかの実施形態において、ベースバンド回路２４０４は、１つ又は複数の無線技術と互換性のある通信を提供することができる。例えば、いくつかの実施形態において、ベースバンド回路２４０４は、進化型ユニバーサル地上波無線アクセスネットワーク（ＥＵＴＲＡＮ）及び／又は他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートすることができる。ベースバンド回路２４０４が１つより多い無線プロトコルの無線通信をサポートするよう構成される実施形態は、マルチモードベースバンド回路と呼ばれることがある。
【０１２３】
ＲＦ回路２４０６は、非固体媒体による変調電磁放射を用いて、無線ネットワークとの通信を可能にし得る。様々な実施形態において、ＲＦ回路２４０６は、無線ネットワークとの通信を容易にするために、スイッチ、フィルタ、増幅器などを含むことができる。信号受信経路を含むことができるＲＦ回路２４０６は、ＦＥＭ回路２４０８から受信したＲＦ信号をダウンコンバートして、ベースバンド信号をベースバンド回路２４０４に提供する回路を含むことができる。信号送信経路も含むことができるＲＦ回路２４０６は、ベースバンド回路２４０４により提供されるベースバンド信号をアップコンバートして、送信のためにＲＦ出力信号をＦＥＭ回路２４０８に提供する回路を含むことができる。
【０１２４】
いくつかの実施形態において、ＲＦ回路２４０６は、信号受信経路及び信号送信経路を含むことができる。ＲＦ回路２４０６の信号受信経路は、ミキサ回路２４０６ａ、増幅回路２４０６ｂ、及びフィルタ回路２４０６ｃを含むことができる。ＲＦ回路２４０６の信号送信経路は、フィルタ回路２４０６ｃ及びミキサ回路２４０６ａを含むことができる。ＲＦ回路２４０６は、信号受信経路及び信号送信経路のミキサ回路２４０６ａが用いるために、周波数を合成するシンセサイザ回路２４０６ｄも含むことができる。いくつかの実施形態において、信号受信経路のミキサ回路２４０６ａは、シンセサイザ回路２４０６ｄにより提供される合成された周波数に基づいて、ＦＥＭ回路２４０８から受信したＲＦ信号をダウンコンバートするよう構成されてよい。増幅回路２４０６ｂは、ダウンコンバートされた信号を増幅するよう構成されてよく、フィルタ回路２４０６ｃは、ダウンコンバートされた信号から不要な信号を除去して出力ベースバンド信号を生成するよう構成された、ローパスフィルタ（ＬＰＦ）又はバンドパスフィルタ（ＢＰＦ）であってよい。出力ベースバンド信号は、さらに処理するために、ベースバンド回路２４０４に提供されてよい。いくつかの実施形態において、出力ベースバンド信号はゼロ周波数ベースバンド信号であってよいが、これは必要条件ではない。いくつかの実施形態において、信号受信経路のミキサ回路２４０６ａはパッシブミキサを備えることができるが、実施形態の範囲はこの点で限定されるわけではない。
【０１２５】
いくつかの実施形態において、信号送信経路のミキサ回路２４０６ａは、シンセサイザ回路２４０６ｄにより提供される合成された周波数に基づいて、入力ベースバンド信号をアップコンバートして、ＦＥＭ回路２４０８のためにＲＦ出力信号を生成するよう構成されてよい。ベースバンド信号は、ベースバンド回路２４０４により提供されてよく、またフィルタ回路２４０６ｃによってフィルタリングされてよい。フィルタ回路２４０６ｃはローパスフィルタ（ＬＰＦ）を含むことができるが、実施形態の範囲はこの点で限定されるわけではない。
【０１２６】
いくつかの実施形態において、信号受信経路のミキサ回路２４０６ａ及び信号送信経路のミキサ回路２４０６ａは、２つ以上のミキサを含むことができ、直交ダウンコンバージョン用、又は直交アップコンバージョン用にそれぞれ配置されてよい。いくつかの実施形態において、信号受信経路のミキサ回路２４０６ａ及び信号送信経路のミキサ回路２４０６ａは、２つ以上のミキサを含むことができ、イメージ除去（例えば、ハートレー型イメージ除去）用に配置されてよい。いくつかの実施形態において、信号受信経路のミキサ回路２４０６ａ及び信号送信経路のミキサ回路２４０６ａは、ダイレクトダウンコンバージョン用又はダイレクトアップコンバージョン用にそれぞれ配置されてよい。いくつかの実施形態において、信号受信経路のミキサ回路２４０６ａ及び信号送信経路のミキサ回路２４０６ａは、スーパーヘテロダイン方式の動作用に構成されてよい。
【０１２７】
いくつかの実施形態において、出力ベースバンド信号及び入力ベースバンド信号は、アナログベースバンド信号であってよいが、実施形態の範囲はこの点で限定されるわけではない。いくつかの代替の実施形態において、出力ベースバンド信号及び入力ベースバンド信号は、デジタルベースバンド信号であってよい。これらの代替の実施形態において、ＲＦ回路２４０６は、アナログ／デジタルコンバータ（ＡＤＣ）回路、及びデジタル／アナログコンバータ（ＤＡＣ）回路を含むことができ、ベースバンド回路２４０４は、ＲＦ回路２４０６と通信するデジタルベースバンドインタフェースを含むことができる。
【０１２８】
いくつかのデュアルモードの実施形態において、別個の無線ＩＣ回路が、各スペクトルの信号を処理するために提供されてよいが、実施形態の範囲はこの点で限定されるわけではない。
【０１２９】
いくつかの実施形態において、シンセサイザ回路２４０６ｄは、フラクショナル−Ｎ方式のシンセサイザ又はフラクショナルＮ／Ｎ＋２４方式のシンセサイザであってよいが、他のタイプの周波数シンセサイザが好適であり得るので、実施形態の範囲はこの点で限定されるわけではない。例えば、シンセサイザ回路２４０６ｄは、デルタ・シグマ方式のシンセサイザ、周波数逓倍器、又は周波数分周器を有する位相同期ループを備えるシンセサイザであってよい。
【０１３０】
シンセサイザ回路２４０６ｄは、周波数入力及び分周器制御入力に基づいて、ＲＦ回路２４０６のミキサ回路２４０６ａが用いるために、出力周波数を合成するよう構成されてよい。いくつかの実施形態において、シンセサイザ回路２４０６ｄは、フラクショナルＮ／Ｎ＋２４方式のシンセサイザであってよい。
【０１３１】
いくつかの実施形態において、周波数入力は、電圧制御発振器（ＶＣＯ）によって提供されてよいが、これは必要条件ではない。分周器制御入力は、所望の出力周波数に応じて、ベースバンド回路２４０４又はアプリケーションプロセッサ２４０２によって提供されてよい。いくつかの実施形態において、分周器制御入力（例えば、Ｎ）は、アプリケーションプロセッサ２４０２により示されるチャネルに基づいて、ルックアップテーブルから決定されてよい。
【０１３２】
ＲＦ回路２４０６のシンセサイザ回路２４０６ｄは、分周器、遅延同期ループ（ＤＬＬ）、マルチプレクサ、及び位相アキュムレータを含むことができる。いくつかの実施形態において、分周器は、デュアルモジュラス分周器（ＤＭＤ）であってよく、位相アキュムレータは、デジタル位相アキュムレータ（ＤＰＡ）であってよい。いくつかの実施形態において、ＤＭＤは、（例えば、キャリーアウトに基づいて）分数分周比を提供するＮ又はＮ＋２４で入力信号を分割するよう構成されてよい。いくつかの例示の実施形態において、ＤＬＬは、カスケード型チューナブル遅延素子のセット、位相検出器、チャージポンプ、及びＤ型フリップフロップを含むことができる。これらの実施形態において、遅延素子は、ＶＣＯ周期を同一パケットの位相であるＮｄに分割するよう構成されてよく、ここで、Ｎｄは遅延線における遅延素子の数である。このように、ＤＬＬは負帰還を提供して、遅延線による総遅延がＶＣＯの１周期になることを保証するのに役立てている。
【０１３３】
いくつかの実施形態において、シンセサイザ回路２４０６ｄは、出力周波数としてキャリア周波数を生成するよう構成されてよく、他の実施形態においては、出力周波数は複数のキャリア周波数（例えば、２倍のキャリア周波数、４倍のキャリア周波数）であってよく、キャリア周波数において、互いに対して複数の異なる位相を有する複数の信号を生成するのに、直交ジェネレータ及び分周器回路と併せて用いられてよい。いくつかの実施形態において、出力周波数は、ＬＯ周波数（ｆＬＯ）であってよい。いくつかの実施形態において、ＲＦ回路２４０６は、ＩＱ／極座標コンバータを含むことができる。
【０１３４】
信号受信経路を含むことができるＦＥＭ回路２４０８は、１つ又は複数のアンテナ２４１０から受信したＲＦ信号を処理し、受信した信号を増幅し、受信した信号の増幅したバージョンをさらに処理するためにＲＦ回路２４０６に提供するよう構成された回路を含むことができる。信号送信経路も含むことができるＦＥＭ回路２４０８は、ＲＦ回路２４０６によって提供された送信用の信号を、１つ又は複数のアンテナ２４１０のうち１つ又は複数により送信するために増幅するよう構成された回路を含むことができる。
【０１３５】
いくつかの実施形態において、ＦＥＭ回路２４０８は、送信モード動作と受信モード動作とを切り換えるＴＸ／ＲＸスイッチを含むことができる。ＦＥＭ回路は、信号受信経路及び信号送信経路を含むことができる。ＦＥＭ回路の信号受信経路は、受信したＲＦ信号を増幅し、増幅した受信ＲＦ信号を出力として（例えば、ＲＦ回路２４０６に）提供する低雑音増幅器（ＬＮＡ）を含むことができる。ＦＥＭ回路２４０８の信号送信経路は、（例えば、ＲＦ回路２４０６により提供される）入力ＲＦ信号を増幅する電力増幅器（ＰＡ）と、（例えば、１つ又は複数のアンテナ２４１０のうちの１つ又は複数による）次の送信のためにＲＦ信号を生成する１つ又は複数のフィルタとを含むことができる。
【０１３６】
いくつかの実施形態において、セルネットワークデバイス２４００は、例えば、メモリ／ストレージ、ディスプレイ、カメラ、センサ、及び／又は入出力（Ｉ／Ｏ）インタフェースなどの追加の要素を含むことができる。いくつかの実施形態において、図２４の電子デバイスは、本明細書で説明される１つ又は複数のプロセス、手法、及び／又は方法、あるいはこれらの部分を実行するよう構成されてよい。
【０１３７】
本明細書の様々な実施形態において、システムは、限定されないが、ラップトップコンピューティングデバイス、タブレットコンピューティングデバイス、ネットブック、ウルトラブック、スマートフォンなどのモバイルコンピューティングデバイスであってよい。様々な実施形態において、システムは、より多くの又はより少ないコンポ―ネント、及び／又は異なるアーキテクチャを有することができる。例えば、いくつかの実施形態において、ＲＦロジック及び／又はベースバンドロジックは、通信ロジック（不図示）で具現化されてよい。通信ロジックは、通信を開始する適切な通信インタフェースに好適な、例えば、エンコード、変調、フィルタリング、変換、増幅などの信号処理手法を提供する、１つ又は複数のシングルコアプロセッサ又はマルチコアプロセッサ、及び論理回路を含むことができる。通信ロジックは、電線、光、又は無線通信媒体を介して通信することができる。システムが無線通信用に構成される実施形態において、通信ロジックは、１つ又は複数の無線技術と互換性のある通信を提供するＲＦロジック及び／又はベースバンドロジックを含むことができる。例えば、いくつかの実施形態において、通信ロジックは、進化型ユニバーサル地上波無線アクセスネットワーク（ＥＵＴＲＡＮ）及び／又は他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートすることができる。
【０１３８】
本明細書の実施形態は、第３世代パートナーシッププロジェクト（３ＧＰＰ）ロングタームエボリューション（ＬＴＥ）規格、又はＬＴＥアドバンスト（ＬＴＥ−Ａ）規格に関連すると説明されてよい。例えば、ｅＮｏｄｅＢ（ｅＮＢ）、モビリティ管理エンティティ（ＭＭＥ）、ユーザ機器（ＵＥ）などの用語又はエンティティが用いられてよく、これらは、ＬＴＥ関連の用語又はエンティティとみなされてよい。しかし、他の実施形態において、技術は、米国電気電子技術者協会（ＩＥＥＥ）８０２．１６無線技術（ＷｉＭＡＸ（登録商標））、ＩＥＥＥ８０２．１１無線技術（ＷｉＦｉ）、様々な他の無線技術、例えば、移動体通信用グローバルシステム（ＧＳＭ（登録商標））、ＧＳＭ（登録商標）進化型高速データレート（ＥＤＧＥ）、ＧＳＭ（登録商標）ＥＤＧＥ無線アクセスネットワーク（ＧＥＲＡＮ）、ユニバーサル移動体通信システム（ＵＭＴＳ）、ＵＭＴＳ地上波無線アクセスネットワーク（ＵＴＲＡＮ）など、あるいは既に開発済み又は開発予定の他の２Ｇ、３Ｇ、４Ｇ、５Ｇなどの技術などの他の無線技術で用いられてよく、又はこれらの技術に関連してよい。こうした実施形態において、ｅＮＢ、ＭＭＥ、ＵＥなどのＬＴＥ関連の用語が用いられる場合、ＬＴＥベースの用語又はエンティティのうちの１つ又は複数と均等又はほぼ均等であるとみなされてよい１つ又は複数のエンティティ又はコンポーネントが、用いられてよい。
【０１３９】
当該明細書で使用されるとき、「プロセッサ」という用語は、実質的に任意のコンピューティング処理ユニット又はデバイスを指すことができ、ここには、限定されないが、シングルコアプロセッサ、ソフトウェアマルチスレッド実行機能を有する単一のプロセッサ、マルチコアプロセッサ、ソフトウェアマルチスレッド実行機能を有するマルチコアプロセッサ、ハードウェアマルチスレッド技術を有するマルチコアプロセッサ、並列プラットフォーム、及び分散共有メモリを有する並列プラットフォームが含まれる。さらに、プロセッサは、本明細書で説明される機能及び／又はプロセスを実行するよう設計された、集積回路、特定用途向け集積回路、デジタル信号プロセッサ、フィールドプログラマブルゲートアレイ、プログラマブルロジックコントローラ、複合プログラマブルロジックデバイス、ディスクリートゲート又はトランジスタロジック、ディスクリートハードウェアコンポーネント、又はこれらの任意の組み合わせを指すことができる。プロセッサは、面積使用率を最適化するために、又はモバイルデバイスの性能を高めるために、限定されないが、分子ドットベース及び量子ドットベースのトランジスタ、スイッチ、及びゲートなどのナノスケールアーキテクチャを活用することができる。プロセッサは、コンピューティング処理ユニットの組み合わせとしても実装されてよい。
【０１４０】
当該明細書において、「格納」、「データストア」、「データストレージ」、「データベース」などの用語、並びに、実質的にはコンポーネント及び／又はプロセスの動作及び機能に関連したその他の情報ストレージコンポーネントは、「メモリ」又はメモリを含むコンポーネントで具現化される「メモリコンポーネント」又はエンティティを指す。本明細書で説明されるメモリコンポーネントは、揮発性メモリ又は不揮発性メモリであってよく、あるいは、揮発性メモリ及び不揮発性メモリの両方を含むことができることに留意されたい。
【０１４１】
例示として、限定されないが、不揮発性メモリは例えば、メモリ、不揮発性メモリ、ディスクストレージ、及びメモリストレージに含まれてよい。さらに、不揮発性メモリは、リードオンリメモリ、プログラマブルリードオンリメモリ、電気的プログラマブルリードオンリメモリ、電気的消去可能プログラマブルリードオンリメモリ、又はフラッシュメモリに含まれてよい。揮発性メモリは、ランダムアクセスメモリを含むことができ、これは外部キャッシュメモリとして動作する。例示として、限定されないが、ランダムアクセスメモリは、同期型ランダムアクセスメモリ、ダイナミックランダムアクセスメモリ、同期型ダイナミックランダムアクセスメモリ、ダブルデータレート同期型ダイナミックランダムアクセスメモリ、高速同期型ダイナミックランダムアクセスメモリ、シンクリンクダイナミックランダムアクセスメモリ、及びダイレクトラムバスランダムアクセスメモリなど、多くの形態で利用可能である。さらに、本明細書のシステム又は方法に関して開示されたメモリコンポーネントは、限定されることなく、これらメモリ及びその他の適切なタイプのメモリを含むことが意図されている。
【０１４２】
例は、方法、方法の動作又はブロックを実行するための手段、機械により実行されると、本明細書で説明される実施形態及び例による複数の通信技術を用いる同時通信のための方法の動作、あるいは装置又はシステムの動作を機械に実行させる命令を含んだ少なくとも１つの機械可読媒体などの主題を含むことができる。
【０１４３】
例１は、進化型ＮｏｄｅＢ（ｅＮＢ）の、当該ｅＮＢのための、又は当該ｅＮＢにより使用される装置であり、キャリアアグリゲーションのために、１つ又は複数の異なるコンポーネントキャリア（ＣＣ）に基づいて、測定ギャップの測定を容易にする測定ギャップパターンを識別するよう構成された処理コンポーネントと、当該処理コンポーネントに通信可能に結合されており、１つ又は複数の無線リソース制御（ＲＲＣ）信号を介して、測定ギャップパターンを伝達するよう構成された、通信コンポーネントとを備える。
【０１４４】
例２は例１の主題を含み、処理コンポーネントはさらに、１つ又は複数の異なるＣＣに関連付けられたユーザ機器（ＵＥ）機能を識別し、１つ又は複数の異なるＣＣのＵＥ機能との関連に基づいて、測定ギャップパターンを生成するよう構成される。
【０１４５】
例３は例１から２のうちのいずれか１つの主題を含み、任意の要素を含む又は省いており、処理コンポーネントはさらに、ギャップ繰り返し周期を選択するための情報を含むギャップオフセット、又は、第２のセットのＣＣに関連付けられた別のギャップ繰り返し周期と異なるギャップ繰り返し周期を利用して測定されるべき第１のセットのＣＣを示すサポートＣＣデータセットのうちの少なくとも１つを識別するよう構成される。
【０１４６】
例４は例１から３のうちのいずれか１つの主題を含み、任意の要素を含む又は省いており、通信コンポーネントはさらに、１つ又は複数のＣＣに関連付けられたＵＥ機能を含むサポートＣＣデータセットを受信し、測定ギャップパターンの再構成を伝達するよう構成され、処理コンポーネントは、サポートＣＣデータセットに基づいて、異なる測定ギャップパターンとして、測定ギャップパターンの再構成をもたらすよう構成される。
【０１４７】
例５は例１から４のうちのいずれか１つの主題を含み、任意の要素を含む又は省いており、サポートＣＣデータセットは、ＵＥ機能によってサポートされる複数の異なるＣＣと、複数の異なるＣＣの異なるＣＣに関連付けられており、測定ギャップパターンの測定ギャップ、又は測定ギャップを用いないデータの連続ダウンリンクのうちの少なくとも１つの要求を示す、インジケーションとを含む。
【０１４８】
例６は例１から５のうちのいずれか１つの主題を含み、任意の要素を含む又は省いており、サポートＣＣデータセットは、ＵＥ機能によってサポートされる複数の異なるＣＣと、複数の異なるＣＣに関連付けられており、異なるギャップ繰り返し周期の間の選択、又は測定ギャップを用いないデータの連続ダウンリンクのうちの少なくとも１つの要求を示す、インジケーションとを含む。
【０１４９】
例７は例１から６のうちのいずれか１つの主題を含み、任意の要素を含む又は省いており、サポートＣＣデータセットは、ＵＥ機能によってサポートされる複数の異なるＣＣと、複数の異なるＣＣに関連付けられており、複数の異なるＣＣの異なるセットのＣＣに関連付けられた異なる測定ギャップパターン、又は測定ギャップを用いないデータの連続ダウンリンクのうちの少なくとも１つの要求を示す、インジケーションとを含む。
【０１５０】
例８は例１から７のうちのいずれか１つの主題を含み、任意の要素を含む又は省いており、サポートＣＣデータセットは、ＵＥ機能によってサポートされる複数の異なるＣＣグループの要素として１つ又は複数の異なるＣＣと、複数の異なるＣＣグループに関連付けられており、複数の異なるＣＣグループの異なるセットのＣＣグループに関連付けられた異なる測定ギャップパターン、又は測定ギャップを用いないデータの連続ダウンリンクの要求を示す、インジケーションとを含む複数の異なるＣＣグループを含む。
【０１５１】
例９は例１から８のうちのいずれか１つの主題を含み、任意の要素を含む又は省いており、処理コンポーネントはさらに、ギャップオフセット、ギャップ繰り返し周期、ミニギャップインジケータを識別し、１つ又は複数のＵＥ機能に基づいてＵＥサービングバンドを指定する少なくとも１つのサービングバンドを識別するよう構成され、ＵＥ機能は、ＵＥの１つ又は複数の無線周波数（ＲＦ）チェーンによって扱われる複数のコンポーネントキャリアのうちの少なくとも１つを含む。
【０１５２】
例１０は、ユーザ機器（ＵＥ）の、ＵＥのための、又はＵＥにより使用される装置であり、１つ又は複数のコンポーネントキャリア（ＣＣ）に対応する１つ又は複数の通信チェーンを含んでおり、受信経路又は送信経路への１つ又は複数の無線リソース制御（ＲＲＣ）信号を処理するよう構成された、通信コンポーネントと、通信コンポーネントに通信可能に結合されており、１つ又は複数の無線リソース制御（ＲＲＣ）信号を処理して、１つ又は複数のコンポーネントキャリア（ＣＣ）及び１つ又は複数の通信チェーンを含むＵＥ機能のセットに基づいて、測定ギャップの間に測定を制御する測定ギャップパターンの測定ギャップ構成を決定するよう構成された、プロセッサコンポーネントとを備える。
【０１５３】
例１１は例１０の主題を含み、プロセッサコンポーネントはさらに、ＵＥ機能のセットに基づいて、複数の測定ギャップパターンの異なる測定ギャップパターンの選択をもたらすよう構成され、通信コンポーネントはさらに、受信経路又は送信経路に対する選択をもたらすことで、１つ又は複数のＲＲＣ信号に応答し、当該選択に基づいて、測定ギャップパターンを再構成するために１つ又は複数のデータを有するダウンリンク送信を受信するよう構成される。
【０１５４】
例１２は例１０から１１のうちのいずれか１つの主題を含み、任意の要素を含む又は省いており、プロセッサコンポーネントはさらに、異なる通信チェーン及び１つ又は複数のＣＣに関連付けられたギャップ繰り返し周期のギャップオフセットのインジケーションを生成するよう構成される。
【０１５５】
例１３は例１０から１２のうちのいずれか１つの主題を含み、任意の要素を含む又は省いており、ＲＲＣ信号に応答して、通信コンポーネントはさらに、インジケーションを受信経路又は送信経路に伝達し、インジケーションの伝達に応答して、測定ギャップパターンの再構成を可能にするダウンリンク送信を受信するよう構成される。
【０１５６】
例１４は例１０から１３のうちのいずれか１つの主題を含み、任意の要素を含む又は省いており、プロセッサコンポーネントはさらに、通信コンポーネントの異なる通信チェーンに従って、それぞれ、異なるＣＣに関連付けられたＵＥ機能と、測定ギャップが要求されているかを示す、異なるＣＣに関連付けられたインジケーションとを含むサポートＣＣデータセットを生成するよう構成される。
【０１５７】
例１５は例１０から１４のうちのいずれか１つの主題を含み、任意の要素を含む又は省いており、プロセッサコンポーネントはさらに、異なるＣＣに関連付けられたＵＥ機能と、異なるＣＣに関連付けられており、通信コンポーネントの通信チェーンに関連したＣＣの組み合わせを示すインジケーションと、ＣＣの組み合わせに関して、ミニギャップ、ロングギャップ、又はギャップなしのうちの少なくとも１つの選択とを含むサポートＣＣデータセットを生成するよう構成される。
【０１５８】
例１６は例１０から１５のうちのいずれか１つの主題を含み、任意の要素を含む又は省いており、プロセッサコンポーネントはさらに、ＵＥ機能と、当該ＵＥ機能に基づく測定ギャップ構成の異なる測定ギャップパターンの選択との両方に対応する異なるＣＣの組み合わせを含むサポートＣＣデータセットを生成するよう構成される。
【０１５９】
例１７は例１０から１６のうちのいずれか１つの主題を含み、任意の要素を含む又は省いており、プロセッサコンポーネントはさらに、異なるＣＣ及び対応する異なる測定ギャップパターンを含む異なるＣＣグループを有するサポートＣＣデータセットを生成するよう構成される。
【０１６０】
例１８は例１０から１７のうちのいずれか１つの主題を含み、任意の要素を含む又は省いており、通信コンポーネントはさらに、１つ又は複数の通信チェーンのうちのどれが、測定ギャップを用いずに、連続したデータダウンリンクを受信するよう構成されているかを、進化型ＮｏｄｅＢに伝達するよう構成される。
【０１６１】
例１９は、実行に応答して、進化型ＮｏｄｅＢ又はユーザ機器を含むネットワークデバイスの１つ又は複数のプロセッサに動作を実行させる実行可能命令を備えるコンピュータ可読媒体であり、当該動作は、ネットワークデバイスの１つ又は複数のプロセッサを介して、異なるコンポーネントキャリア（ＣＣ）に基づいて、異なるＵＥ機能を有する１つ又は複数の異なる通信チェーンに対応する測定ギャップパターンのインジケーションを生成する動作と、ネットワークデバイスの通信コンポーネントを介して、測定ギャップパターンのインジケーションを伝達する動作とを含む。
【０１６２】
例２０は例１９の主題を含み、動作はさらに、異なるＣＣに対応する異なるギャップ繰り返し周期を選択するための情報を含むギャップオフセットと、１つ又は複数の異なる通信チェーンのうちの第１の通信チェーンによって測定されるべき第１のセットのＣＣ、及び１つ又は複数の異なる通信チェーンのうちの第２の通信チェーンによって測定されるべき第２のセットのＣＣを含むサポートＣＣデータセットと、ミニギャップ又はミニギャップより大きいフルギャップが、第１の通信チェーン及び第２の通信チェーンによってダウンリンク送信に利用されるべきかに関するインジケーションとのうちの少なくとも１つを識別する動作を含む。
【０１６３】
例２１は例１９から２０のうちのいずれか１つの主題を含み、任意の要素を含む又は省いており、動作はさらに、サポートＣＣデータセットに基づいて、測定ギャップパターンの再構成の応答を処理又は生成する動作を備え、サポートＣＣデータセットは、ＵＥ機能に基づいて、異なるＣＣと１つ又は複数の異なる通信チェーンとの第１の相関、及び異なる測定ギャップパターンと異なるＣＣとの第２の相関を含む。
【０１６４】
例２２は例１９から２１のうちのいずれか１つの主題を含み、任意の要素を含む又は省いており、動作はさらに、１つ又は複数の無線リソース制御（ＲＲＣ）信号を介した測定ギャップパターンの送信に応答して、ＵＥ機能と、ＵＥからの通信内のサポートＣＣデータセットとに基づいて、測定ギャップパターンの変更を容易にする動作を含む。
【０１６５】
例２３は例１９から２２のうちのいずれか１つの主題を含み、任意の要素を含む又は省いており、サポートＣＣデータセットは、異なるセットのＣＣを含むＣＣグループと、測定ギャップパターンのどれがＣＣグループのどのＣＣに対応するかを含む。
【０１６６】
例２４は例１９から２３のうちのいずれか１つの主題を含み、任意の要素を含む又は省いており、サポートＣＣデータセットはさらに、１つ又は複数の異なる通信チェーンに従って、ギャップが要求されているかに関する第１のセットのインジケーションと、ギャップ繰り返し周期の情報を含むギャップオフセットに関する第２のセットのインジケーションとを含む。
【０１６７】
例２５は、進化型ＮｏｄｅＢ又はユーザ機器（ＵＥ）により使用される装置であり、異なるコンポーネントキャリア（ＣＣ）に基づいて、異なるＵＥ機能を有する１つ又は複数の異なる通信チェーンに対応する測定ギャップパターンのインジケーションを生成するための手段と、測定ギャップパターンのインジケーションを伝達するための手段とを備える。
【０１６８】
例２６は例２５の主題を含み、任意の要素を含む又は省いており、異なるＣＣに対応する異なるギャップ繰り返し周期を選択するための情報を含むギャップオフセットと、１つ又は複数の異なる通信チェーンのうちの第１の通信チェーンによって測定されるべき第１のセットのＣＣ、及び１つ又は複数の異なる通信チェーンのうちの第２の通信チェーンによって測定されるべき第２のセットのＣＣを含むサポートＣＣデータセットと、ミニギャップ又はミニギャップより大きいフルギャップが、第１の通信チェーン及び第２の通信チェーンによってダウンリンク送信に利用されるべきかに関するインジケーションとのうちの少なくとも１つを識別する手段をさらに含む。
【０１６９】
例２７は例２５から２６のうちのいずれか１つの主題を含み、任意の要素を含む又は省いており、動作はさらに、サポートＣＣデータセットに基づいて、測定ギャップパターンの再構成の応答を処理又は生成する動作を備え、サポートＣＣデータセットは、ＵＥ機能に基づいて、異なるＣＣと１つ又は複数の異なる通信チェーンとの第１の相関、及び異なる測定ギャップパターンと異なるＣＣとの第２の相関を含む。
【０１７０】
例２８は例２５から２７のうちのいずれか１つの主題を含み、任意の要素を含む又は省いており、動作はさらに、１つ又は複数の無線リソース制御（ＲＲＣ）信号を介した測定ギャップパターンの送信に応答して、ＵＥ機能と、ＵＥからの通信内のサポートＣＣデータセットとに基づいて、測定ギャップパターンの変更を容易にする作業を含む。
【０１７１】
例２９は例２５から２８のうちのいずれか１つの主題を含み、任意の要素を含む又は省いており、サポートＣＣデータセットは、異なるセットのＣＣを含むＣＣグループと、測定ギャップパターンのどれがＣＣグループのどのＣＣに対応するかを含む。
【０１７２】
例３０は例２５から２９のうちのいずれか１つの主題を含み、任意の要素を含む又は省いており、サポートＣＣデータセットはさらに、１つ又は複数の異なる通信チェーンに従って、ギャップが要求されているかに関する第１のセットのインジケーションと、ギャップ繰り返し周期の情報を含むギャップオフセットに関する第２のセットのインジケーションとを含む。
【０１７３】
例３１は進化型ＮｏｄｅＢの装置であり、キャリアアグリゲーションのために、１つ又は複数の異なるコンポーネントキャリア（ＣＣ）に基づいて、測定ギャップの測定を容易にする測定ギャップパターンを識別し、１つ又は複数の無線リソース制御（ＲＲＣ）信号を介して、測定ギャップパターンを伝達するよう構成されたプロセッサを備える。
【０１７４】
例３２はユーザ機器の装置であり、受信経路又は送信経路への１つ又は複数の無線リソース制御（ＲＲＣ）信号を処理し、当該１つ又は複数の無線リソース制御（ＲＲＣ）信号を処理して、１つ又は複数のコンポーネントキャリア（ＣＣ）及び１つ又は複数の通信チェーンを含むＵＥ機能のセットに基づいて、測定ギャップの間に測定を制御する測定ギャップパターンの測定ギャップ構成を決定するよう構成されたプロセッサを備える。
【０１７５】
本明細書で説明される態様は、ハードウェア、ソフトウェア、ファームウェア、又はこれらの組み合わせによって実装され得ることを理解されたい。ソフトウェアで実装される場合、機能は、コンピュータ可読媒体上の１つ又は複数の命令又はコードとして格納され得る、又は送信され得る。コンピュータ可読媒体は、コンピュータ記憶媒体及び通信媒体の両方を含み、これらの媒体には、ある場所から別の場所へのコンピュータプログラムの転送を容易にする任意の媒体が含まれる。記憶媒体又はコンピュータ可読ストレージデバイスは、汎用コンピュータ又は専用コンピュータによりアクセスされ得る利用可能な任意の媒体であってよい。例として、限定されないが、そのようなコンピュータ可読媒体には、所望の情報又は実行可能命令を記憶又は格納するのに用いられ得る、ＲＡＭ、ＲＯＭ、ＥＥＰＲＯＭ、ＣＤ−ＲＯＭ又は他の光ディスクストレージ、磁気ディスクストレージ又は他の磁気ストレージデバイス、あるいは、他の有形媒体及び／又は非一時的媒体が含まれてよい。また、当然のことながら任意の接続もコンピュータ可読媒体と呼ばれる。例えば、同軸ケーブル、光ファイバケーブル、ツイストペア、デジタル加入者線（ＤＳＬ）、又は赤外線、無線、及びマイクロ波などの無線技術を用いて、ソフトウェアがウェブサイト、サーバ、又は他のリモートソースから送信される場合、同軸ケーブル、光ファイバケーブル、ツイストペア、ＤＳＬ、又は赤外線、無線、及びマイクロ波などの無線技術は、媒体の定義に含まれる。本明細書で用いられるとき、ディスク（ｄｉｓｋ／ｄｉｓｃ）は、コンパクトディスク（ＣＤ）、レーザディスク、光ディスク、デジタル多用途ディスク（ＤＶＤ）、フロッピー（登録商標）ディスク、及びブルーレイディスクを含み、ここで、ディスク（ｄｉｓｋ）は通常、データを磁気的に再生し、ディスク（ｄｉｓｃ）はデータをレーザで光学的に再生する。上記の組み合わせもまた、コンピュータ可読媒体の範囲内に含まれるべきである。
【０１７６】
本明細書で開示される態様に関連して説明される様々な例示的なロジック、論理ブロック、モジュール、及び回路は、本明細書で説明される機能を実行するよう設計された、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジック、ディスクリートハードウェアコンポーネント、あるいはこれらの任意の組み合わせを用いて実装され得る、又は実行され得る。汎用プロセッサはマイクロプロセッサであってよいが、代替としては、プロセッサは従来のプロセッサ、コントローラ、マイクロコントローラ、又はステートマシンであってよい。プロセッサはまた、コンピューティングデバイスの組み合わせとして、例えば、ＤＳＰ及びマイクロプロセッサの組み合わせ、複数のマイクロプロセッサ、ＤＳＰコアを併用した１つ又は複数のマイクロプロセッサ、又はその他のそのような構成として実装されてよい。さらに、少なくとも１つのプロセッサは、本明細書で説明される段階及び／又は動作のうちの１つ又は複数を実行するよう動作可能な１つ又は複数のモジュールを含むことができる。
【０１７７】
ソフトウェア実装では、本明細書で説明される手法は、本明細書で説明される機能を実行するモジュール（例えば、手順、機能など）で実装されてよい。ソフトウェアコードはメモリユニットに格納され、プロセッサによって実行され得る。メモリユニットは、プロセッサ内又はプロセッサの外部に実装されてよく、外部に実装される場合、メモリユニットは、当技術分野で知られている様々な手段を通じてプロセッサに通信可能に結合され得る。さらに、少なくとも１つのプロセッサは、本明細書で説明される機能を実行するよう動作可能な１つ又は複数のモジュールを含むことができる。
【０１７８】
本明細書で説明される手法は、ＣＤＭＡシステム、ＴＤＭＡシステム、ＦＤＭＡシステム、ＯＦＤＭＡシステム、ＳＣ−ＦＤＭＡシステム、及び他のシステムなど、様々な無線通信システムに用いられ得る。「システム」及び「ネットワーク」という用語は、多くの場合、区別なく用いられている。ＣＤＭＡシステムは、ユニバーサル地上波無線アクセス（ＵＴＲＡ）、ＣＤＭＡ１８００などの無線技術を実装することができる。ＵＴＲＡには、広帯域ＣＤＭＡ（Ｗ−ＣＤＭＡ）及びＣＤＭＡの他の異形が含まれる。さらに、ＣＤＭＡ１８００は、ＩＳ−１８００、ＩＳ−９５、及びＩＳ−８５６規格を扱う。ＴＤＭＡシステムは、移動体通信用グローバルシステム（ＧＳＭ（登録商標））などの無線技術を実装することができる。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．１８、Ｆｌａｓｈ−ＯＦＤＭなどの無線技術を実装することができる。ＵＴＲＡ及びＥ−ＵＴＲＡは、ユニバーサル移動体通信システム（ＵＭＴＳ）の一部である。３ＧＰＰロングタームエボリューション（ＬＴＥ）は、Ｅ−ＵＴＲＡを用いるＵＭＴＳのリリースであり、ダウンリンクにＯＦＤＭＡを使用し、アップリンクにＳＣ−ＦＤＭＡを使用する。ＵＴＲＡ、Ｅ−ＵＴＲＡ、ＵＭＴＳ、ＬＴＥ、及びＧＳＭ（登録商標）は、「第３世代パートナーシッププロジェクト」（３ＧＰＰ）という名称の団体の仕様書に説明されている。さらに、ＣＤＭＡ１８００及びＵＭＢは、「第３世代パートナーシッププロジェクト２」（３ＧＰＰ２）という名称の団体の仕様書に説明されている。さらに、このような無線通信システムは、対をなさない無認可のスペクトル、８０２．ｘｘ無線ＬＡＮ、Ｂｌｕｅｔｏｏｔｈ（登録商標）、及びその他の短距離又は長距離無線通信手法を用いることが多いピアツーピア（例えば、モバイルツーモバイル）のアドホックネットワークシステムを追加的に含むことができる。
【０１７９】
シングルキャリア周波数分割多元接続（ＳＣ−ＦＤＭＡ）は、シングルキャリア変調及び周波数ドメインの均等化を利用しており、開示された態様で用いられ得る手法である。ＳＣ−ＦＤＭＡは、ＯＦＤＭＡシステムのそれと類似の性能、及び本質的に類似の全体的な複雑性を有する。ＳＣ−ＦＤＭＡ信号は、その固有のシングルキャリア構造のために、低いピーク対平均電力比（ＰＡＰＲ）を有する。ＳＣ−ＦＤＭＡは、低ＰＡＰＲが送信電力効率の観点でモバイル端末のためになり得るアップリンク通信において利用され得る。
【０１８０】
さらに、本明細書で説明される様々な態様又は特徴は、標準的なプログラミング及び／又はエンジニアリング手法を用いる方法、装置、製造品として実装され得る。本明細書で用いられる「製造品」という用語は、あらゆるコンピュータ可読デバイス、キャリア、又は媒体からアクセス可能なコンピュータプログラムを包含することが意図されている。例えば、コンピュータ可読媒体には、限定されないが、磁気ストレージデバイス（例えば、ハードディスク、フロッピー（登録商標）ディスク、磁気ストリップなど）、光ディスク（例えば、コンパクトディスク（ＣＤ）、デジタル多用途ディスク（ＤＶＤ）など）、スマートカード、及びフラッシュメモリデバイス（例えば、ＥＰＲＯＭ、カード、スティック、キードライブなど）が含まれてよい。さらに、本明細書で説明される様々な記憶媒体が、情報を格納するための１つ又は複数のデバイス、及び／又は他の機械可読媒体を表すことができる。「機械可読媒体」という用語は、限定されないが、命令及び／又はデータを格納する、含む、及び／又は記憶することができる無線チャネル及び様々な他の媒体を含むことができる。さらに、コンピュータプログラム製品は、本明細書で説明される機能をコンピュータに実行させるよう動作可能な１つ又は複数の命令又はコードを有するコンピュータ可読媒体を含むことができる。
【０１８１】
通信媒体は、変調されたデータ信号、例えば、搬送波又は他の搬送メカニズムなどのデータ信号で、コンピュータ可読命令、データ構造、プログラムモジュール、又は他の構造化データ又は非構造化データを具現化し、任意の情報伝達媒体又は情報搬送媒体を含む。「変調されたデータ信号」という用語又は信号は、その特性セットのうちの１つ又は複数を有する信号、あるいは１つ又は複数の信号内の情報をエンコードするような態様で変更された信号を指す。例として、限定されないが、通信媒体には、有線ネットワーク又は直接有線接続などの有線媒体、並びに音波、ＲＦ、赤外線、及び他の無線媒体などの無線媒体が含まれる。
【０１８２】
さらに、本明細書に開示される態様に関連して説明される方法又はアルゴリズムの動作は、ハードウェア、プロセッサにより実行されるソフトウェアモジュール、又はこれらの組み合わせで直接具現化されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当技術分野において知られているその他の形態の記憶媒体に備わっていてよい。例示の記憶媒体がプロセッサに結合されてよく、これにより、プロセッサは記憶媒体から情報を読み取り、記憶媒体に情報を書き込むことができる。代替として、記憶媒体はプロセッサに統合されてよい。さらに、いくつかの態様において、プロセッサ及び記憶媒体はＡＳＩＣ内に備わっていてよい。さらに、ＡＳＩＣはユーザ端末内に備わっていてよい。代替として、プロセッサ及び記憶媒体は、ユーザ端末内のディスクリートコンポーネントとして備わっていてよい。さらに、いくつかの態様において、方法又はアルゴリズムの段階及び／又は動作は、機械可読媒体及び／又はコンピュータ可読媒体上のコード及び／又は命令の１つ又は任意の組み合わせあるいはセットとして備わっていてよく、これらはコンピュータプログラム製品の中に組み込まれてよい。
【０１８３】
本開示の例示の実施形態に関する上記の説明は、要約書に説明されていることを含んでおり、包括的であることも、開示された実施形態を開示された正確な形態に限定することも意図してはいない。特定の実施形態及び例が、例示を目的として本明細書に説明されているが、当業者が認識できるように、そのような実施形態及び例の範囲内とみなされる様々な修正が可能である。
【０１８４】
この点に関して、開示された主題が様々な実施形態及び対応する図に関連して説明されたが、適用可能な場合、他の類似の実施形態が用いられてよく、あるいは開示された主題の同じ機能、類似の機能、別の機能、又は代替の機能を実行するために、開示された主題から逸脱することなく、説明された実施形態に修正又は追加が行われてよいことを理解されたい。したがって、開示された主題は、本明細書で説明された単一の実施形態に限定されるべきではなく、むしろ、以下に添付した請求項に従った範囲内にあると解釈されるべきである。
【０１８５】
上述のコンポーネント（アセンブリ、デバイス、回路、システムなど）により実行される様々な機能に特に関連して、そのようなコンポーネントを説明するのに用いられる用語（「手段」への言及を含む）は、本明細書に示された本開示の例示の実装における機能を実行する開示された構造に、構造上は均等でなくても、別途示されない限り、説明されたコンポーネントの指定された機能（例えば、機能的に均等な）を実行する任意のコンポーネント又は構造に対応することが意図されている。さらに、特定の特徴が、いくつかの実装のうちの１つだけに対して開示されることがあったが、そのような特徴は、任意の所与の又は特定の用途に望まれ、有利であってよいように、他の実装の１つ又は複数の他の特徴と組み合わされてよい。
【図１】
2018511200.tif 000003
【図２】
2018511200.tif 000004
【図３】
2018511200.tif 000005
【図４】
2018511200.tif 000006
【図５】
2018511200.tif 000007
【図６】
2018511200.tif 000008
【図７】
2018511200.tif 000009
【図８】
2018511200.tif 000010
【図９】
2018511200.tif 000011
【図１０】
2018511200.tif 000012
【図１１】
2018511200.tif 000013
【図１２】
2018511200.tif 000014
【図１３】
2018511200.tif 000015
【図１４】
2018511200.tif 000016
【図１５】
2018511200.tif 000017
【図１６】
2018511200.tif 000018
【図１７】
2018511200.tif 000019
【図１８】
2018511200.tif 000020
【図１９】
2018511200.tif 000021
【図２０】
2018511200.tif 000022
【図２１】
2018511200.tif 000023
【図２２】
2018511200.tif 000024
【図２３】
2018511200.tif 000025
【図２４】
2018511200.tif 000026
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
進化型ＮｏｄｅＢ（ｅＮＢ）の装置であって、
キャリアアグリゲーションのために、１つ又は複数の異なるコンポーネントキャリア（ＣＣ）に基づいて、測定ギャップの測定を容易にする測定ギャップパターンを識別する処理コンポーネントと、
前記処理コンポーネントに通信可能に結合されており、１つ又は複数の無線リソース制御（ＲＲＣ）信号を介して、前記測定ギャップパターンを伝達する、通信コンポーネントと
を備える
装置。
【請求項２】
前記処理コンポーネントはさらに、前記１つ又は複数の異なるＣＣに関連付けられたユーザ機器（ＵＥ）機能を識別し、前記１つ又は複数の異なるＣＣの前記ＵＥ機能との関連に基づいて、前記測定ギャップパターンを生成する、
請求項１に記載の装置。
【請求項３】
前記処理コンポーネントはさらに、ギャップ繰り返し周期を選択するための情報を含むギャップオフセット、又は、第２のセットのＣＣに関連付けられた別のギャップ繰り返し周期と異なる前記ギャップ繰り返し周期を利用して測定されるべき第１のセットのＣＣを示すサポートＣＣデータセットのうちの少なくとも１つを識別する、
請求項１又は２に記載の装置。
【請求項４】
前記通信コンポーネントはさらに、前記１つ又は複数のＣＣに関連付けられたＵＥ機能を含むサポートＣＣデータセットを受信し、前記測定ギャップパターンの再構成を伝達し、前記処理コンポーネントは、前記サポートＣＣデータセットに基づいて、異なる測定ギャップパターンとして、前記測定ギャップパターンの前記再構成をもたらす、
請求項１から３のいずれか一項に記載の装置。
【請求項５】
サポートＣＣデータセットは、ＵＥ機能によってサポートされる複数の異なるＣＣと、前記複数の異なるＣＣの異なるＣＣに関連付けられており、前記測定ギャップパターンの測定ギャップ、又は前記測定ギャップを用いないデータの連続ダウンリンクのうちの少なくとも１つの要求を示す、インジケーションとを含む、
請求項１から４のいずれか一項に記載の装置。
【請求項６】
サポートＣＣデータセットは、ＵＥ機能によってサポートされる複数の異なるＣＣと、前記複数の異なるＣＣに関連付けられており、異なるギャップ繰り返し周期の間の選択、又は測定ギャップを用いないデータの連続ダウンリンクのうちの少なくとも１つの要求を示す、インジケーションとを含む、
請求項１から５のいずれか一項に記載の装置。
【請求項７】
サポートＣＣデータセットは、ＵＥ機能によってサポートされる複数の異なるＣＣと、前記複数の異なるＣＣに関連付けられており、前記複数の異なるＣＣの異なるセットのＣＣに関連付けられた異なる測定ギャップパターン、又は測定ギャップを用いないデータの連続ダウンリンクのうちの少なくとも１つの要求を示す、インジケーションとを含む、
請求項１から６のいずれか一項に記載の装置。
【請求項８】
サポートＣＣデータセットは、ＵＥ機能によってサポートされる前記複数の異なるＣＣグループの要素として１つ又は複数の異なるＣＣと、前記複数の異なるＣＣグループに関連付けられており、前記複数の異なるＣＣグループの異なるセットのＣＣグループに関連付けられた異なる測定ギャップパターン、又は測定ギャップを用いないデータの連続ダウンリンクの要求を示す、インジケーションとを含む複数の異なるＣＣグループを含む、
請求項１から７のいずれか一項に記載の装置。
【請求項９】
前記処理コンポーネントはさらに、ギャップオフセット、ギャップ繰り返し周期、ミニギャップインジケータを識別し、１つ又は複数のＵＥ機能に基づいてＵＥサービングバンドを指定する少なくとも１つのサービングバンドを識別し、ＵＥ機能は、ＵＥの１つ又は複数の無線周波数（ＲＦ）チェーンによって扱われる複数のコンポーネントキャリアのうちの少なくとも１つを含む、
請求項１から８のいずれか一項に記載の装置。
【請求項１０】
ユーザ機器（ＵＥ）用の装置であって、
１つ又は複数のコンポーネントキャリア（ＣＣ）に対応する１つ又は複数の通信チェーンを含んでおり、受信経路又は送信経路への１つ又は複数の無線リソース制御（ＲＲＣ）信号を処理する、通信コンポーネントと、
前記通信コンポーネントに通信可能に結合されており、前記１つ又は複数の無線リソース制御（ＲＲＣ）信号を処理して、前記１つ又は複数のコンポーネントキャリア（ＣＣ）及び前記１つ又は複数の通信チェーンを含むＵＥ機能のセットに基づいて、測定ギャップの間に測定を制御する測定ギャップパターンの測定ギャップ構成を決定する、プロセッサコンポーネントと
を備える
装置。
【請求項１１】
前記プロセッサコンポーネントはさらに、ＵＥ機能の前記セットに基づいて、複数の測定ギャップパターンの異なる測定ギャップパターンの選択をもたらし、前記通信コンポーネントはさらに、前記受信経路又は前記送信経路に対する前記選択をもたらすことで、前記１つ又は複数のＲＲＣ信号に応答し、前記選択に基づいて、前記測定ギャップパターンを再構成するために１つ又は複数のデータを有するダウンリンク送信を受信する、
請求項１０に記載の装置。
【請求項１２】
前記プロセッサコンポーネントはさらに、異なる通信チェーン及び前記１つ又は複数のＣＣに関連付けられたギャップ繰り返し周期のギャップオフセットのインジケーションを生成する、
請求項１０又は１１に記載の装置。
【請求項１３】
前記１つ又は複数のＲＲＣ信号に応答して、前記通信コンポーネントはさらに、インジケーションを前記受信経路又は前記送信経路に伝達し、前記インジケーションの伝達に応答して、前記測定ギャップパターンの再構成を可能にするダウンリンク送信を受信する、
請求項１０から１２のいずれか一項に記載の装置。
【請求項１４】
前記プロセッサコンポーネントはさらに、前記通信コンポーネントの異なる通信チェーンに従って、それぞれ、異なるＣＣに関連付けられた前記ＵＥ機能と、測定ギャップが要求されているかを示す、前記異なるＣＣに関連付けられたインジケーションとを含むサポートＣＣデータセットを生成する、
請求項１０から１３のいずれか一項に記載の装置。
【請求項１５】
前記プロセッサコンポーネントはさらに、異なるＣＣに関連付けられた前記ＵＥ機能と、前記異なるＣＣに関連付けられており、前記通信コンポーネントの通信チェーンに関連したＣＣの組み合わせを示すインジケーションと、前記ＣＣの組み合わせに関して、ミニギャップ、ロングギャップ、又はギャップなしのうちの少なくとも１つの選択とを含むサポートＣＣデータセットを生成する、
請求項１０から１４のいずれか一項に記載の装置。
【請求項１６】
前記プロセッサコンポーネントはさらに、前記ＵＥ機能と、前記ＵＥ機能に基づく測定ギャップ構成の異なる測定ギャップパターンの選択との両方に対応する異なるＣＣの組み合わせを含むサポートＣＣデータセットを生成する、
請求項１０から１５のいずれか一項に記載の装置。
【請求項１７】
前記プロセッサコンポーネントはさらに、異なるＣＣ及び対応する異なる測定ギャップパターンを含む異なるＣＣグループを有するサポートＣＣデータセットを生成する、
請求項１０から１６のいずれか一項に記載の装置。
【請求項１８】
前記通信コンポーネントはさらに、前記１つ又は複数の通信チェーンのうちのどれが、測定ギャップを用いずに、連続したデータダウンリンクを受信するかを、進化型ＮｏｄｅＢに伝達する、
請求項１０から１７のいずれか一項に記載の装置。
【請求項１９】
進化型ＮｏｄｅＢ又はユーザ機器を含むネットワークデバイスの１つ又は複数のプロセッサに動作を実行させるためのプログラムであって、前記動作は、
前記ネットワークデバイスの前記１つ又は複数のプロセッサを介して、異なるコンポーネントキャリア（ＣＣ）に基づいて、異なるＵＥ機能を有する１つ又は複数の異なる通信チェーンに対応する測定ギャップパターンのインジケーションを生成する動作と、
前記ネットワークデバイスの通信コンポーネントを介して、前記測定ギャップパターンの前記インジケーションを伝達する動作と
を含む、
プログラム。
【請求項２０】
前記動作はさらに、
前記異なるＣＣに対応する異なるギャップ繰り返し周期を選択するための情報を含むギャップオフセットと、前記１つ又は複数の異なる通信チェーンのうちの第１の通信チェーンによって測定されるべき第１のセットのＣＣ、及び前記１つ又は複数の異なる通信チェーンのうちの第２の通信チェーンによって測定されるべき第２のセットのＣＣを含むサポートＣＣデータセットと、ミニギャップ又は前記ミニギャップより大きいフルギャップが、前記第１の通信チェーン及び前記第２の通信チェーンによってダウンリンク送信に利用されるべきかに関するインジケーションとのうちの少なくとも１つを識別する動作を含む、
請求項１９に記載のプログラム。
【請求項２１】
前記動作はさらに、
サポートＣＣデータセットに基づいて、前記測定ギャップパターンの再構成の応答を処理又は生成する動作を備え、前記サポートＣＣデータセットは、前記ＵＥ機能に基づいて、前記異なるＣＣと前記１つ又は複数の異なる通信チェーンとの第１の相関、及び異なる測定ギャップパターンと前記異なるＣＣとの第２の相関を含む、
請求項１９又は２０に記載のプログラム。
【請求項２２】
前記動作はさらに、
１つ又は複数の無線リソース制御（ＲＲＣ）信号を介した前記測定ギャップパターンの送信に応答して、前記ＵＥ機能と、ＵＥからの通信内のサポートＣＣデータセットとに基づいて、前記測定ギャップパターンの変更を容易にする動作を含む、
請求項１９から２１のいずれか一項に記載のプログラム。
【請求項２３】
サポートＣＣデータセットは、異なるセットのＣＣを含むＣＣグループと、測定ギャップパターンのどれが前記ＣＣグループのどのＣＣに対応するかを含む、
請求項１９から２２のいずれか一項に記載のプログラム。
【請求項２４】
サポートＣＣデータセットはさらに、前記１つ又は複数の異なる通信チェーンに従って、ギャップが要求されているかに関する第１のセットのインジケーションと、ギャップ繰り返し周期の情報を含むギャップオフセットに関する第２のセットのインジケーションとを含む、
請求項１９から２３のいずれか一項に記載のプログラム。
【請求項２５】
請求項１９から２４のいずれか一項に記載のプログラムを格納する、
コンピュータ可読記憶媒体。
【国際調査報告】
2018511200.tif 000027
2018511200.tif 000028
2018511200.tif 000029